(57)【特許請求の範囲】
【請求項１】
少なくとも１つの通信局が制御信号を供給する基地局モードで機能し、制御信号を供給しない通信局が移動局モードで機能する通信方法であって、第１の基地局と接続して移動局モードで機能している第１及び第２の通信局間の通信のために、
前記第１の基地局が、移動局モードで機能しており、かつ、基地局モードで機能可能な第３の通信局を決定し、前記第３の通信局に、基地局モードに切替わることを要求する第１のメッセージを送信し、
前記第１の基地局が、前記移動局モードで機能している第１及び第２の通信局に、前記第３の通信局と同期させる第２のメッセージを送信することを特徴とする通信方法。
【請求項２】
前記第１及び第２の通信局が、互いに直接通信できる移動局でない場合、前記第１の基地局が、前記第３の通信局に前記第１のメッセージを送信し、前記第１及び第２の通信局に前記第２のメッセージを送信することを特徴とする請求項１に記載の通信方法。
【請求項３】
前記第１及び第２の通信局が、互いに直接通信できる移動局である場合、前記第１の基地局が、前記第１及び第２の通信局に、直接通信モードに切り替えるための第３のメッセージを送信することを特徴とする請求項２に記載の通信方法。
【請求項４】
少なくとも１つの通信局が制御信号を供給する基地局モードで機能し、制御信号を供給しない通信局が移動局モードで機能する通信方法における第１の基地局として機能する通信装置であって、前記第１の基地局と接続して移動局モードで機能している第１及び第２の通信局間の通信のために、前記第１の基地局として機能する前記通信装置は、
移動局モードで機能しており、かつ、基地局モードで機能可能な第３の通信局を決定する決定手段と、
前記第３の通信局に、基地局モードに切替わることを要求する第１のメッセージを送信し、前記移動局モードで機能している第１及び第２の通信局に、前記第３の通信局と同期させる第２のメッセージを送信する送信手段を有することを特徴とする通信装置。
【請求項５】
前記送信手段は、前記第１及び第２の通信局が、互いに直接通信できる移動局でない場合、前記第３の通信局に前記第１のメッセージを送信し、前記第１及び第２の通信局に前記第２のメッセージを送信することを特徴とする請求項４に記載の通信装置。
【請求項６】
前記第１及び第２の通信局が、互いに直接通信できる移動局である場合、前記第１及び第２の通信局に、直接通信モードに切り替えるための第３のメッセージを送信することを特徴とする請求項５に記載の通信装置。
【発明の詳細な説明】
【０００１】
【発明の属する技術分野】
本発明は、ネットワーク上で通信するための方法および装置に関する。特に、本発明は、集中型アーキテクチャを備えたローカル無線ネットワークに適用され、そのそれぞれの通信は、「固定部分」とも呼ばれるいわゆる基地通信局と、「携帯部分」とも呼ばれる移動通信局との間で構成される。
【０００２】
【従来の技術】
このような通信ネットワークの一例は、ヨーロッパのＤＥＣＴ規格（「Digital Enhanced Cordless Telecommunication」）を使用する電話によって示される。
【０００３】
このようなローカル・ネットワークでは、基地局はネットワーク内のすべての移動局に同期信号を供給する。したがって、互いに同期をとる１組の通信局（基地局と１つまたは複数の移動局）はセルを構成する。
【０００４】
セルの通信容量は、ＤＥＣＴ規格によって定められている。この容量が低すぎる場合、基地局が手動で追加できるので、第２のセルが第１のセルに追加されることが知られている。ただしこの場合、異なるセルにある通信局は互いに通信することができず、セルは固定される。
【０００５】
ＤＥＣＴ規格によれば、すべての通信局の合計通信容量を増やすために、セルがそれ自体を自動的にいくつかのセルに分割することはできない。
【０００６】
２つの移動局が互いに通信する必要がある場合、それぞれが基地局と通信しなければならず、これにより問題の通信に関する通過帯域要件が倍加する。
【０００７】
【発明が解決しようとする課題】
本発明は、これらの欠点の矯正に着手するものである。
【０００８】
そのため、本発明は、一方では少なくとも１つの移動局が基地局として機能することを可能にすることで、またもう一方では最初の基地局が新しいセルの構造を制御できる機構を提供することで、１つのセルをいくつかのセルに自動的に分割できるようにすることを目的とするものである。
【０００９】
【課題を解決するための手段】
このため、第１の態様によれば、本発明は、少なくとも１つの通信局が制御信号を供給する基地局モードで機能し、制御信号を供給しない通信局が移動局モードで機能する通信方法であって、第１の基地局と接続して移動局モードで機能している第１及び第２の通信局間の通信のために、
前記第１の基地局が、移動局モードで機能しており、かつ、基地局モードで機能可能な第３の通信局を決定し、前記第３の通信局に、基地局モードに切替わることを要求する第１のメッセージを送信し、
前記第１の基地局が、前記移動局モードで機能している第１及び第２の通信局に、前記第３の通信局と同期させる第２のメッセージを送信する。
【００１０】
このような構成により、通信用の新しい基地局が求められる。この新しい基地局は、通信用の通信局の１つであること、または基地局として機能できる第３の通信局であることに留意されたい。
【００９６】
本発明の他の利点、目的、および特徴は、添付図面に関連して示す以下の説明から明らかになるだろう。
【００９７】
【発明の実施の形態】
以下に示す説明では、「通信装置」という用語は、一方ではＤＥＣＴ規格により、もう一方では添付図面に関連して説明する様々な機能モードにより、通信ネットワーク内で基地局または移動局として動作できるようにする通信局を意味する。
【００９８】
図１は、従来技術で既知の通り、基地局によって送信される信号上に移動局をロックする手順を示している。
【００９９】
移動局に電源を投入すると、移動局は内部初期設定状態１０１に入る。次に、動作１０２中に移動局は、ＤＥＣＴ規格による通信用に割り振られた周波数帯域（すなわち、１８８０〜１９００ＭＨｚ）内の次のチャネル（そのうちの１０個が存在する）での受信モードに入り、それに適した基地局によって送信される信号を探す。動作１０２を最初に反復した場合、選択されるのは第１のチャネルである。動作１０２を実行する前に最後のチャネルを検討した場合、動作１０２中に選択されるのは第１のチャネルである。
【０１００】
次に、テスト１０３中に移動局は、基地局から送信される同期パルスを検出するために、所定の期間の間、検討中の無線チャネル上で聴取する。したがって、移動局は、同期信号を送信するために基地局が検討中のチャネルを使用しているか否かを判定する。
【０１０１】
テスト１０３の結果が否定である場合、テスト１０４中に移動局は、検討中のチャネルが最後のチャネルであるか否かを判定する。テスト１０４の結果が否定である場合、動作１０２を反復する。テスト１０４の結果が肯定である場合、動作１０５中に移動局は待機モードに入り、次に動作１０７中に所定の期間Ｔ０（移動局のエネルギー資源の減少関数になりうるもの）の間待機してから動作１０２を反復する。
【０１０２】
テスト１０３の結果が肯定である場合、テスト１０８中に移動局は、それが同期信号を送信する基地局へのアクセス権を有するか否かを判定する。
【０１０３】
このため、テスト１０３の結果が肯定である場合、移動局は、マルチフレームごとに（各マルチフレームは持続期間が１０ミリ秒の１６個のフレームから構成される）基地局によって同報通信される情報を入手することができる。基地局によって同報通信される情報の中には、特に、検討中の基地局へのアクセス権を定義する、いわゆる「ＡＲＩ」パラメータ（「Access Rights Identity」という単語の頭文字）が存在する。「ＰＡＲＫ」（「Portable Access Rights Key」という単語の頭文字）と呼ばれる少なくとも１つの識別を有する各移動局ごとに、テスト１０８中にテストされるのは、「ＰＡＲＫ」識別のうちの少なくとも１つと「ＡＲＩ」パラメータとの対応関係である。
【０１０４】
テスト１０８が否定である場合、テスト１０４を実行する。テスト１０８の結果が肯定である場合、動作１０９中に移動局は、検討中のチャネルで検出される同期信号を送信している基地局上にロックする。
【０１０５】
動作１０９の終わりに移動局は、そのＡＲＩパラメータがその「ＰＡＲＫ」識別のうちの少なくとも１つと対応している基地局によって同報通信される情報を入手することができる。
【０１０６】
次に移動局は、その上に移動局がロックされる基地局により接続を開始するかまたは受け入れることができる。次に移動局は、やはり同じ基地局上にロックされる他の移動局と通信することができ、特に、たとえば電話により基地局が他のネットワークへのアクセス・ポイントを供給するときは基地局自体と通信することができる。
【０１０７】
ただし、同期信号を送信する基地局がまったく存在しない場合、従来技術によれば、移動局間のいかなる通信も不可能であることに留意されたい。
【０１０８】
図２は、１つかつ同一のローカル・エリア２００内の本発明による様々な通信装置を示している。すなわち、
−通信装置２０２および２０３は、たとえば、ＤＥＣＴ  ＧＡＰ（「Generic Access Profile」という単語の頭文字）規格に準拠し、携帯電話音声伝送専用の既知のタイプの電話である。
【０１０９】
−通信装置２０１、２０４、２０５は、セル２００内で基地局としてまたは移動局として動作可能なマルチメディア端末である。
【０１１０】
上記かつ図示の実施形態では、通信装置２０１、２０４、２０５は、ＤＥＣＴＧＡＰ規格をサポートし、２４キロビット／秒の速度までのデータ転送に関するタイプ「Ａ」のデータ・プロファイルに準拠する。また、通信装置２０１は、５５２キロビット／秒の速度までのデータ転送に関するタイプ「ＡＢ」のデータ・プロファイルにも準拠するが、ユーザによる手動操作後にのみ基地局モードに切り替わることができる。
【０１１１】
本発明による各装置２０１、２０４、２０５は、デフォルトでは図１の記述通りに動作し、すなわち、初期設定時に移動局機能モードに入る。
【０１１２】
図３Ａには、本発明の第２、第４、第６の態様による各通信装置２０１、２０４、または２０５がバス３０１によって、
−制御装置３０６と、
−ＤＥＣＴベース・バンド・ユニット３０２と、
−送信／受信アンテナ３０７に加え、それ自体が接続されたＤＥＣＴ無線ユニット３０３と、
−ランダム・アクセス・メモリ３０４と、
−読取り専用メモリ３０５と、
−キーボード３０７と、
−ディスプレイ３０８と、
−電源３１０（電池、蓄電池、または商用電源）に加え、それ自体が接続されたエネルギー・レベル制御装置３０９と、
−入出力インタフェース３１１とをまとめて接続していることが示されている。
【０１１３】
制御装置３０６および３０９とＤＥＣＴベース・バンド・ユニット３０２は、実際には、プロセッサと、読取り専用メモリ３０５に格納されたオペレーティング・プログラムからなる。
【０１１４】
ＤＥＣＴベース・バンド・ユニット３０２は、既知のタイプのものであり、本発明の時点までに知られているＤＥＣＴ規格のすべての能力を利用するように適合されている。
【０１１５】
制御装置３０６は、本発明の方法と、特に図面に示されている流れ図を実現するように適合されている。エネルギー・レベル制御装置３０９は、タイミング値（以下を参照すること）を決定するために、既知の方式で使用可能なエネルギー・レベルを評価するためのものである。
【０１１６】
ランダム・アクセス・メモリ３０４は、便宜上、それらが含むデータと同じ名前をそれぞれ有するレジスタ内に、
−一時的変数ｌおよびｋと、
−現行動作モード、移動局、または基地局を表す変数「ＭＯ」と、
−使用可能なランダム・アクセス・メモリを表す変数「ＭＤ」と、
−使用可能なメモリ・エリアが２つの所定の値ＭＤ＿Ｎ１およびＭＤ＿Ｎ２未満の容量を有するか、この２つの所定の値の間であるか、またはこの２つの所定の値より大きいかに応じて３つの値「０」、「１」、「２」のうちの１つを取る、使用可能なメモリの値係数を表す変数「ＣＭＤ」と、
−データの受信または送信用に予約されたメモリ・エリア「Ｔｘ／Ｒｘ」と、
−基地局に対して宣言された移動局（本発明による装置を含む）の識別のリストと、これらの移動局に関連する情報を含むテーブル「Ｔａｂｌｅ＿ＳＭ」と、
−本発明による装置、すなわち動作モードを自動的に変更できる装置（たとえば通信局２０４および２０５）の識別のリストを含むリスト「Ｌｉｓｔ＿ＳＭ＿ａｕｔｏ」と、
−それらのユーザの介入により動作モードを変更できる移動局（たとえば通信局２０１）の識別のリストを含むリスト「Ｌｉｓｔ＿ＳＭ＿ｍａｎｕａｌ」と、
−基地局なしに、互いに直接通信できる移動局の識別のリストを含むリスト「Ｌｉｓｔ＿ＳＭ＿ｄｉｒｅｃｔ」とを格納する。
【０１１７】
読取り専用メモリ３０５は、便宜上、それらが含むデータと同じ名前をそれぞれ有するレジスタ内に、
−装置のメモリ容量に関する情報項目「ＣＭ」と、
−装置のプロセッサ容量に関する情報項目「ＣＰ」と、
−装置によって（実際にはそのＤＥＣＴベース・バンド・ユニット３０２によって）サポートされるＤＥＣＴ規格のプロファイルを表すインジケータ「ＩＰ」と、
−ＤＥＣＴでサポートされる時間間隔（この説明の残りの部分、特に図１７では通信分野の当業者による使用法に関連する用語である「スロット」と呼ぶ）のタイプ（単スロット、倍スロット、または半スロット）を表す情報項目「ＴＳ」と、
−装置によってサポートされる最大データ速度（たとえば、２４〜５５２キロビット／秒）を表す情報項目「ＤＭ」と、
−メモリ・エリア容量値ＭＤ＿Ｎ１およびＭＤ＿Ｎ２と、
−その識別を表す情報項目と、
−サポートされるＤＥＣＴプロファイルの数を表す係数「ＣＰＲ」と、
−装置の動作能力を表す情報項目「ＣＯ」であって、
・「ＳＢ」：装置は基地局モードのみで動作することができる、
・「ＳＭ」：装置は移動局モードのみで動作することができる、
・「ＳＢ／ＳＭ＿ｍａｎｕａｌ」：装置はそのユーザの介入により動作モードを変更することができる、
・「ＳＢ／ＳＭ＿ａｕｔｏ」：装置は自動的に動作モードを変更することができる、
・「ＳＭ／ＳＭ＿ｄｉｒｅｃｔ」：装置は、その情報「ＣＯ」が「ＳＭ／ＳＭ＿ｄｉｒｅｃｔ」という値を取る他の移動局と直接通信することができる、
という値を取ることができる情報項目「ＣＯ」と、
−基地局機能モードから移動局機能モードへおよびその逆の自動または手動切替え能力を表す情報項目「ＢＡ」（「ＢＡ」は、この能力が存在するときに「真」になり、そうではないときに「偽」になる）とを格納する。
【０１１８】
読取り専用メモリ３０５は、コンピュータまたはマイクロプロセッサによって読取り可能であり、本発明の方法を実現することを特徴とするコンピュータ・プログラムの命令を格納する、情報記憶手段を構成する。変形形態によれば、読取り専用メモリ３０５は、部分的または全体的に取外し可能であり、たとえば、磁気ストリップ、フラッシュ・メモリ、ディスケット、または固定メモリ・コンパクト・ディスク（ＣＤ−ＲＯＭ）を有する。
【０１１９】
図３Ｂには、本発明の第８の態様による各通信装置２０１、２０４、または２０５がバス３０１によって、
−制御装置３０６と、
−ＤＥＣＴベース・バンド・ユニット３０２と、
−送信／受信アンテナ３０７に加え、それ自体が接続された無線ユニット３０３と、
−ランダム・アクセス・メモリ３０４と、
−読取り専用メモリ３０５と、
−キーボード３０７と、
−ディスプレイ３０８と、
−電源３１０（電池、蓄電池、または商用電源）に加え、それ自体が接続されたエネルギー・レベル制御装置３０９と、
−入出力インタフェース３１１と
−通信品質制御装置３１２とをまとめて接続していることが示されている。
【０１２０】
制御装置３０６および３０９とＤＥＣＴベース・バンド・ユニット３０２は、実際には、プロセッサと、読取り専用メモリ３０５に格納されたオペレーティング・プログラムからなる。
【０１２１】
ＤＥＣＴベース・バンド・ユニット３０２は、既知のタイプのものであり、本発明の時点までに知られているＤＥＣＴ規格のすべての能力を利用するように適合されている。
【０１２２】
制御装置３０６は、本発明の方法と、特に図面に示されている流れ図を実現するように適合されている。エネルギー・レベル制御装置３０９は、
−電源（商用電源または電池）のタイプを既存の方式で認識し、
−時間遅延値（以下を参照すること）と、
−基地局となるかまたは基地局のままを維持する能力とを判定するために、通信装置に使用可能なエネルギー・レベルを評価するためのものである。
【０１２３】
通信品質制御装置３１２は、無線信号の品質を評価し、この品質を表す値ＱＲを供給するように適合されている。
【０１２４】
ランダム・アクセス・メモリ３０４は、便宜上、それらが含むデータと同じ名前をそれぞれ有するレジスタ内に、
−一時的変数ｌおよびｋと、
−制御装置３１２が測定した無線信号の品質を示す値「ＱＲ」と、
−使用可能エネルギー量を示す値「ＮＢ」と、
−基地局モードでの通信局の過去の機能を表す値「ＤＢ」と、
−現行動作モード、移動局、または基地局を表す変数「ＭＯ」と、
−使用可能なランダム・アクセス・メモリを表す変数「ＭＤ」と、
−使用可能なメモリ・エリアが２つの所定の値ＭＤ＿Ｎ１およびＭＤ＿Ｎ２未満の能力を有するか、この２つの所定の値の間であるか、またはこの２つの所定の値より大きいかに応じて３つの値「０」、「１」、「２」のうちの１つを取る、使用可能なメモリの値係数を表す変数「ＣＭＤ」と、
−データの受信または送信用に予約されたメモリ・エリア「Ｔｘ／Ｒｘ」と、
−基地局に対して宣言された移動局（本発明による装置を含む）の識別のリストと、これらの移動局に関連する情報を含むテーブル「Ｔａｂｌｅ＿ＳＭ」と、
−本発明による装置、すなわち動作モードを自動的に変更できる装置（たとえば通信局２０４および２０５）の識別のリストを含むリスト「Ｌｉｓｔ＿ＳＭ＿ａｕｔｏ」と、
−それらのユーザの介入により動作モードを変更できる移動局（たとえば通信局２０１）の識別のリストを含むリスト「Ｌｉｓｔ＿ＳＭ＿ｍａｎｕａｌ」と、
−基地局なしに、互いに直接通信できる移動局の識別のリストを含むリスト「Ｌｉｓｔ＿ＳＭ＿ｄｉｒｅｃｔ」とを格納する。
【０１２５】
読取り専用メモリ３０５は、便宜上、それらが含むデータと同じ名前をそれぞれ有するレジスタ内に、
−装置のメモリ容量に関する情報項目「ＣＭ」と、
−装置のプロセッサ容量に関する情報項目「ＣＰ」と、
−最小通信品質値ＱＲ＿ｍｉｎと、
−最大通信品質値ＱＲ＿ｍａｘと、
−最小使用可能エネルギー量値ＮＢ＿ｍｉｎと、
−最大使用可能エネルギー量値ＮＢ＿ｍａｘと、
−装置によって（実際にはそのＤＥＣＴベース・バンド・ユニット３０２によって）サポートされるＤＥＣＴ規格のプロファイルを表すインジケータ「ＩＰ」と、
−プリンタ、複写機、ファクシミリ・マシン、またはオフィス・コンピュータの場合、ならびにより一般的には、一般に商用電源に接続されるかまたはその通信局が商用電源に接続されていることを示す商用電源への接続を検出する手段を有する機器の場合に「２」になる「ＣＥ＿ＨＩＧＨ」と、ポータブル・コンピュータの場合、ならびにより一般的には、商用電源または電池のいずれかで動作可能な通信局の場合に「１」になる「ＣＥ＿ＭＩＤ」と、ポケット・オーガナイザまたは携帯電話の場合、ならびにより一般的には、ほとんど電池でのみ動作する通信局の場合に「０」になる「ＣＥ＿ＬＯＷ」という３つの値により、検討中の通信局のエネルギー源を表すエネルギー係数「ＣＥ」と、
−プリンタ、複写機、ファクシミリ・マシン、またはオフィス・コンピュータの場合、ならびにより一般的には、一般に固定されている機器の場合に「２」になる「ＣＦ＿ＨＩＧＨ」と、ポータブル・コンピュータの場合、ならびにより一般的には、移動可能であるが、一般にその動作中は移動しない通信局の場合に「１」になる「ＣＦ＿ＭＩＤ」と、ポケット・オーガナイザまたは携帯電話の場合、ならびにより一般的には、その使用中に移動する可能性のある通信局の場合に「０」になる「ＣＦ＿ＬＯＷ」という３つの値により、検討中の通信局の通常移動度を表す固定係数「ＣＦ」と、
−他のいかなるネットワークにもアクセス不能であるときに「０」になり、他のネットワークにアクセス可能であるときに非ゼロになる、通信局によってアクセス可能なネットワークのタイプを表すネットワーク・インタフェース情報項目「ＩＲ」であって、「ＩＲ」の２進表現において「１」になるビットの位置がどのタイプのネットワークにアクセス可能であるか、すなわち、
ｘｘｘｘ  ｘｘｘ１  ＰＳＴＮ（公衆交換電話網）
ｘｘｘｘ  ｘｘ１ｘ  ＩＳＤＮ（統合サービス・ディジタル網）
ｘｘｘｘ  ｘ１ｘｘ  ＬＡＮ（ローカル・エリア・ネットワーク）
ｘｘｘｘ  １ｘｘｘ  ＡＴＭ（非同期転送モード）
を示す情報項目と、
−アクセス可能な外部ネットワークの数を表すネットワーク・インタフェース係数「ＣＩＲ」と、
−ＤＥＣＴでサポートされる時間間隔（この説明の残りの部分、特に図１７では通信分野の当業者による使用法に関連する用語である「スロット」と呼ぶ）のタイプ（単スロット、倍スロット、または半スロット）を表す情報項目「ＴＳ」と、
−装置によってサポートされる最大データ速度（たとえば、２４〜５５２キロビット／秒）を表す情報項目「ＤＭ」と、
−メモリ・エリア容量値ＭＤ＿Ｎ１およびＭＤ＿Ｎ２と、
−その識別を表す情報項目と、
−サポートされるＤＥＣＴプロファイルの数を表す係数「ＣＰＲ」と、
−装置の動作能力を表す情報項目「ＣＯ」であって、
・「ＳＢ」：装置は基地局モードのみで動作することができる。
【０１２６】
・「ＳＭ」：装置は移動局モードのみで動作することができる。
【０１２７】
・「ＳＢ／ＳＭ＿ｍａｎｕａｌ」：装置はそのユーザの介入により動作モードを変更することができる。
【０１２８】
・「ＳＢ／ＳＭ＿ａｕｔｏ」：装置は自動的に動作モードを変更することができる。
【０１２９】
・「ＳＭ／ＳＭ＿ｄｉｒｅｃｔ」：装置は、その情報「ＣＯ」が「ＳＭ／ＳＭ＿ｄｉｒｅｃｔ」という値を取る他の移動局と直接通信することができる。
という値を取ることができる情報項目「ＣＯ」と、
−基地局機能モードから移動局機能モードへおよびその逆の自動または手動切替え能力を表す情報項目「ＢＡ」（「ＢＡ」は、この能力が存在するときに「真」になり、そうではないときに「偽」になる）とを格納する。
【０１３０】
読取り専用メモリ３０５は、コンピュータまたはマイクロプロセッサによって読取り可能であり、本発明の方法を実現することを特徴とするコンピュータ・プログラムの命令を格納する、情報記憶手段を構成する。変形形態によれば、読取り専用メモリ３０５は、部分的または全体的に取外し可能であり、たとえば、磁気ストリップ、フラッシュ・メモリ、ディスケット、または固定メモリ・コンパクト・ディスク（ＣＤ−ＲＯＭ）を有する。
【０１３１】
制御装置３０６が動作モード（基地局または移動局）を判定するために従う手順については、図４で詳細に示す。本発明による通信装置に電源を投入すると、内部初期設定状態４０１に入る。次に、動作４０２中に通信装置は、動作１０２に関して開示したように（図１）、ＤＥＣＴ規格による通信用に割り振られた周波数帯域の次のチャネルでの受信モードに入る。
【０１３２】
次に、テスト４０３中に通信装置は、基地局（基地局として動作する別の通信装置の場合も含む）から送信される同期パルスを検出するために、所定の期間の間、検討中の無線チャネルを聴取する。したがって、通信装置は、同期信号を送信するために基地局が検討中のチャネルを使用しているか否かを判定する。
【０１３３】
テスト４０３の結果が否定である場合、テスト４０４中に通信装置は、検討中のチャネルが最後であるか否かを判定する。テスト４０４の結果が否定である場合、動作４０２を反復する。
【０１３４】
テスト４０３の結果が肯定である場合、テスト４０５中に通信装置は、動作１０８（図１）に関して記載したように、それが同期信号を送信する基地局へのアクセス権を有するか否かを判定する。
【０１３５】
テスト４０５の結果が否定である場合、通信装置はテスト４０４を実行する。テスト４０５の結果が肯定である場合、動作１０９（図１）と同じ動作４０６中に通信装置は、検討中のチャネルで検出される同期信号を送信している基地局上にロックする。
【０１３６】
動作４０６の終わりに通信装置は、そのＡＲＩパラメータがその「ＰＡＲＫ」識別のうちの少なくとも１つと対応している基地局によって同報通信される情報を入手することができる。通信装置は、その上に装置がロックされる基地局により接続を開始するかまたは受け入れることもできる。次に通信装置は、一方では他の移動局ならびに移動局として動作し、同じ基地局上にロックされる本発明による通信装置と通信することができ、他方では基地局自体または基地局として動作している通信装置と通信することができる。
【０１３７】
テスト４０４の結果が肯定である場合、動作４０７中に通信装置の制御装置３０６は、この通信装置を基地局モードに切り替える。
【０１３８】
この基地局機能モードで制御装置は、テスト４０３の所定の持続時間よりも短い持続時間を有する定期的タイム・スロットで、ＤＥＣＴチャネルのうちの１つで同期信号を送信する。ＤＥＣＴ規格によれば、定期的タイム・スロットの持続時間は１６０ミリ秒である。
【０１３９】
次に通信装置は、動作４０８で時間Ｔ１（たとえば１分）を経過することが可能で、その間に基地局としての機能を継続してからテスト４０９を行い、その間に通信装置は移動局がそれと同期しているか否かを判定する（図５のテスト４０９の詳細を参照すること）。
【０１４０】
テスト４０９の結果が否定である場合、動作４１１中に制御装置３０６は、機能モードを移動局モードに切り替え、次に通信装置は動作４１２で所定の時間Ｔ２を経過することが可能で（たとえばエネルギー・レベル制御装置３０９が評価した使用可能エネルギーの減少関数として）、その後、動作４０２を再開する。
【０１４１】
テスト４０９の結果が肯定である場合、動作４１３中に通信装置は所定の時間Ｔ３を経過することが可能で（たとえばエネルギー・レベル制御装置３０９が評価した使用可能エネルギーの増加関数として）、その間に基地局モードでの機能を継続してからテスト４１４を実行し、その間に通信装置は移動局との少なくとも１つの通信がアクティブであるか否かを判定する。テスト４１４の結果が肯定である場合、それを反復する。テスト４１４の結果が否定である場合、動作４１５中に制御装置３０６は、通信装置を基地局モードから移動局モードに切り替える。次に、通信装置は動作４０２を反復する。
【０１４２】
図４の流れ図によれば、
−移動局機能モードで通信装置が基地局をまったく検出しなかった場合、その通信装置は基地局機能モードに入り、
−基地局機能モードで通信装置が移動局をまったく検出しなかった場合、その通信装置は移動局機能モードに入るという、２つの動作基準が使用されていることに留意されたい。
【０１４３】
さらに基地局機能モードで通信装置が移動局との通信をまったく検出しなかった場合、その通信装置は移動局機能モードに入る。後者の構成の目的は、別の基地局が検出できるか否かを再度探求する前に、基地局を移動局モードに戻すことである。
【０１４４】
移動局（移動局として動作する本発明による通信装置の場合を含む）の存在を検出するために、図５に関連して、基地局モードで機能できる各通信装置に対して、各通信装置およびそれと通信できる各移動局の識別を通知する場合を選択する。
【０１４５】
この場合、通信装置は第１にテスト５０１（図５）を実行し、この間に制御装置３０６は、通信装置と通信可能な移動局のリストが空であるか否かを判定する。テスト５０１の結果が肯定である場合、テスト４０９の結果は否定であり、動作５０２に移行する。テスト５０１の結果が否定である場合、動作５０３中に前記リスト上でインジケータの役割を果たす一時的変数ｌは値「０」に初期設定される。次に動作５０４中に通信装置は、リストのｌ番目の識別子によって識別される装置への応答を要求するメッセージをネットワークに送信する。次に通信装置は、動作５０５で所定の時間Ｔ４を経過することが可能で、その後テスト５０６を実行し、その間に通信装置が応答メッセージを送信したか否かを判定する。テスト５０６の結果が肯定である場合、テスト５０７中に装置は、応答メッセージを送信した装置の識別が動作５０４中に呼び出された装置の識別に対応しているか否かを判定する。テスト５０７の結果が肯定である場合、テスト４０９の結果は肯定であり、動作５１０に移行する。テスト５０７の結果が否定である場合、またはテスト５０６の結果が否定である場合、動作５０８中に変数ｌの値を増分する。
【０１４６】
次に、テスト５０９中に通信装置は、変数ｌの値がリストのサイズ以下であるか否かを判定する。テスト５０９の結果が肯定である場合、動作５０４を反復する。テスト５０９の結果が否定である場合、テスト４０９の結果は否定であり、動作５０２に移行する。
【０１４７】
変形形態として、移動局の存在を検出するために、以下の手順を使用する。すなわち、移動局が基地局を検出し、この基地局上にロックした場合、移動局はその識別とその能力（以下を参照すること）を表すメッセージを基地局に送信する。次に基地局は、セル内に存在する移動局のリストを更新することができる。反対に、移動局がセル（すなわち、基地局の有効範囲のエリア）から去った場合または切断する前に、移動局は、それがそのアクセス権を終了することを示すメッセージを基地局に送信する。
【０１４８】
ただし、信号受信パワーを分析することにより移動局がそのセルから去ったことを検出する手順は従来技術により既知のものであることに留意されたい。
【０１４９】
図６Ａは、本発明の第１から第６の態様による、ネットワーク内の通信局の動作モード能力に関する情報構造を示している。この情報は、ＤＥＣＴ規格で「プロプラエタリへのエスケープ」と呼んでいる非標準化情報を転送するために予約したフィールドを使用して、ＤＥＣＴプロトコル・メッセージで送信することができる。本発明によれば、非標準化情報は、この規格内の
−メッセージ「ａｃｃｅｓｓ−ｒｉｇｈｔｓ−ｒｅｑｕｅｓｔ」と
−付属の要求を含むメッセージ「ｌｏｃａｔｅ−ｒｅｑｕｅｓｔ」で単独に使用する。
【０１５０】
図６Ａに示したフィールドの第１のオクテット６０１は、その後の情報要素がＤＥＣＴプロトコル・メッセージ内で送信される非標準化情報であることを示す。第２のオクテット６０２は、送信される情報オクテット番号を含む。第３のオクテット６０３は、オクテット６０４および６０５がこのプロプラエタリ情報を使用しているメーカを識別するのに使用するＥＭＣ（機器メーカ・コード）パラメータを含んでいることを示す。したがって、機器の項目のＥＭＣパラメータがオクテット６０４および６０５が示すパラメータと異なる場合、その後の情報を処理しない。
【０１５１】
通常、本発明が異なるメーカ間での標準化に関するものとなる場合、オクテット６０１、６０４、および６０５を同じ方法で使用することはなくなる。
【０１５２】
オクテット６０６は、移動局として動作する装置の動作能力ＣＯ（上記し図示した実施形態ではその値と同一）を表す。これに続くオクテット６０７〜６１１は基地局として動作する装置の能力に関するより詳細な情報を送信する役割を果たし、その番号は送信される情報オクテットの番号（オクテット６０２が示す番号）から４を減じた番号に等しい。たとえば、送信可能なパラメータには、
−装置のメモリ容量（オクテット６０７）と、
−装置のメモリの充填度（オクテット６０８）と、
−装置のプロセッサのパワーおよび速度（オクテット６０９）と、
−装置がサポートする最大速度（オクテット６１０）とが含まれる。
【０１５３】
情報オクテット６０７〜６１０のビット８位置（左側）は、
−情報要素がこのメッセージで送信される場合は「１」、
−そのオクテットの後続ビットの値が何の意味も持たない（情報要素がメッセージで送信されない）場合は「０」のいずれか１つの値を取る。
【０１５４】
図６Ｂは、本発明の第７および第８の態様による、ネットワーク内の通信局の動作モード能力に関する情報構造を示している。この情報は、ＤＥＣＴ規格で「プロプラエタリへのエスケープ」と呼んでいる非標準化情報を転送するために予約したフィールドを使用して、ＤＥＣＴプロトコル・メッセージで送信することができる。本発明によれば、非標準化情報は、この規格内の
−メッセージ「ａｃｃｅｓｓ−ｒｉｇｈｔｓ−ｒｅｑｕｅｓｔ」と
−「位置の指定を要求する」という意味があり付属の要求を含む、メッセージ「ｌｏｃａｔｅ−ｒｅｑｕｅｓｔ」で単独に使用する。
【０１５５】
図６Ｂに示したフィールドの第１のオクテット７０１は、その後の情報要素がＤＥＣＴプロトコル・メッセージ内で送信される非標準化情報であることを示す。第２のオクテット７０２は、送信される情報オクテット番号を含む。第３のオクテット７０３は、オクテット７０４および７０５がこのプロプラエタリ情報を使用しているメーカを識別するのに使用するＥＭＣ（機器メーカ・コード）パラメータを含んでいることを示す。したがって、機器の項目のＥＭＣパラメータがオクテット７０４および７０５が示すパラメータと異なる場合、その後の情報を処理しない。
【０１５６】
通常、本発明が異なるメーカ間での標準化に関するものとなる場合、オクテット７０１、７０４、および７０５を同じ方法で使用することはなくなる。
【０１５７】
オクテット７０６は、移動局として動作する装置の動作能力ＣＯ（上記し図示した実施形態ではその値と同一）を表す。これに続くオクテット７０７〜７１１は基地局として動作する装置の能力に関するより詳細な情報を送信する役割を果たし、その番号は送信される情報オクテットの番号（オクテット７０２が示す番号）から４を減じた番号に等しい。たとえば、送信可能なパラメータには、
−装置のメモリ容量（オクテット７０７）と、
−装置のメモリの充填度（オクテット７０８）と、
−装置のプロセッサのパワーおよび速度（オクテット７０９）と、
−装置がサポートする最大速度（オクテット７１０）と、
−固定係数「ＣＦ」（オクテット７１２）と、
−エネルギー係数「ＣＥ」（オクテット７１３）と、
−ネットワーク・インタフェース「ＩＲ」（オクテット７１４）とが含まれる。
【０１５８】
情報オクテット７０７〜７１０のビット８位置（左側）は、
−情報要素がこのメッセージで送信される場合は「１」、
−そのオクテットの後続ビットの値が何の意味も持たない（情報要素がメッセージで送信されない）場合は「０」のいずれか１つの値を取る。
【０１５９】
図７は、移動局が基地局へのアクセス権を取得する方法と、そのアクセス権を終了する方法とを示している。アクセス権手順は、基地局と移動局がそれぞれの識別および移動局の能力に関する情報を交換できるようにするものである。移動局は、「端末能力」フィールドに特に移動局の能力を含むメッセージ「ａｃｃｅｓｓ＿ｒｉｇｈｔｓ＿ｒｅｑｕｅｓｔ」を基地局へ送信することによって、手順を開始する。このフィールドでは、本発明により、使用法がプロファイル・インジケータ・パラメータ（「プロファイル・インジケータ」）およびスロット・タイプ・パラメータ（「スロット・タイプ能力」）で構成される（以下を参照すること）。
【０１６０】
本発明による装置が機能するのに必要な追加情報は、メッセージ「ａｃｃｅｓｓ＿ｒｉｇｈｔｓ＿ｒｅｑｕｅｓｔ」の「プロプラエタリへのエスケープ」フィールドで送信する（図６Ａおよび図６Ｂ）。
【０１６１】
基地局がメッセージ「ａｃｃｅｓｓ＿ｒｉｇｈｔｓ＿ｒｅｑｕｅｓｔ」を受信したときに、移動局が基地局の資源にアクセスする権限を与えられていれば、後者はメッセージ「ａｃｃｅｓｓ＿ｒｉｇｈｔｓ＿ａｃｃｅｐｔ」を戻し、宣言された移動局のテーブルにメッセージ「ａｃｃｅｓｓ＿ｒｉｇｈｔｓ＿ｒｅｑｕｅｓｔ」を送信した移動局に関する情報を追加する。
【０１６２】
本発明の第１〜第６の態様によれば、こうして集められた情報を以下の方式で組織化されたランダム・アクセス・メモリ３０４のｔａｂｌｅ＿ＳＭに記憶する。
【０１６３】
番号  識別  CO  CM  RM  CP  IP  TS  DM  ．．．
１
２
．．．
移動局がｔａｂｌｅ＿ＳＭに追加されると、それに関する以下の情報がそこに記憶される。
【０１６４】
−その移動局識別
−その動作能力（ＣＯ）
−そのメモリ容量（ＣＭ）
−そのメモリの充填度（ＲＭ）
−そのプロセッサ容量（ＣＰ）
−そのプロファイル・インジケータ（ＩＰ）
−そのスロット・タイプ能力（ＴＳ）
−その最大スループット（ＤＭ）、およびこれを特徴とする可能な他の情報。
【０１６５】
パラメータＩＰおよびＴＳはメッセージ「ａｃｃｅｓｓ＿ｒｉｇｈｔｓ＿ｒｅｑｕｅｓｔ」の「端末能力」フィールドで読み取り、パラメータＣＯ、ＣＭ、ＲＭ、ＣＰ、およびＤＭは図６Ａに示した「プロプラエタリへのエスケープ」フィールドで読み取る。移動局がその基地局へのアクセス権を終了させたい場合、メッセージ８０３「ａｃｃｅｓｓ＿ｒｉｇｈｔｓ＿ｔｅｒｍｉｎａｔｅ＿ｒｅｑｕｅｓｔ」を送信する。次に基地局はそのｔａｂｌｅ＿ＳＭにあるこの移動局に関連する情報を消去し、メッセージ「ａｃｃｅｓｓ＿ｒｉｇｈｔｓ＿ｔｅｒｍｉｎａｔｅ＿ａｃｃｅｐｔ」８０４を戻す。これで移動局は、基地局の資源を使用できなくなる。
【０１６６】
本発明の第７および第８の態様によれば、こうして集められた情報を以下の方式で組織化されたランダム・アクセス・メモリ３０４のｔａｂｌｅ＿ＳＭに記憶する。
【０１６７】
番号  識別  CO  CM  RM  CP  IP  TS  DM  CE  CF  IR
１
２
．．．
移動局がｔａｂｌｅ＿ＳＭに追加されると、それに関する以下の情報がそこに記憶される。
【０１６８】
−その移動局識別
−その動作能力（ＣＯ）
−そのメモリ容量（ＣＭ）
−そのメモリの充填度（ＲＭ）
−そのプロセッサ容量（ＣＰ）
−そのプロファイル・インジケータ（ＩＰ）
−そのスロット・タイプ能力（ＴＳ）
−その最大スループット（ＤＭ）、
−そのエネルギー係数（ＣＥ）
−その固定係数（ＣＦ）
−そのネットワーク・インタフェース情報（ＩＲ）
およびこれを特徴とする任意の他の情報。
【０１６９】
パラメータＩＰおよびＴＳはメッセージ「ａｃｃｅｓ＿ｒｉｇｈｔｓ＿ｒｅｑｕｅｓｔ」の「端末能力」フィールドで読み取り、パラメータＣＯ、ＣＭ、ＲＭ、ＣＰ、ＤＭ、ＣＦ、ＣＥ、およびＩＲは図６Ｂに示した「プロプラエタリへのエスケープ」フィールドで読み取る。移動局がその基地局へのアクセス権を終了させたい場合、メッセージ８０３「ａｃｃｅｓ＿ｒｉｇｈｔｓ＿ｔｅｒｍｉｎａｔｅ＿ｒｅｑｕｅｓｔ」を送信する。次に基地局はそのｔａｂｌｅ＿ＳＭにあるこの移動局に関連する情報を消去し、メッセージ「ａｃｃｅｓ＿ｒｉｇｈｔｓ＿ｔｅｒｍｉｎａｔｅ＿ａｃｃｅｐｔ」８０４を戻す。これで移動局は、基地局の資源を使用できなくなる。
【０１７０】
図８Ａは、移動局がそれ自体を基地局に接続する方法またはそれ自体を基地局から切り離す方法を示している。移動局が、移動局がそこへのアクセス権を取得した基地局のセルに入ると、その基地局への接続手順を開始する必要がある。この手順によって、移動局は、呼を受信する準備ができていることを基地局に示す。それ自体を接続するために移動局は、特に通信局の識別および能力と非標準化情報の送信可能性に関する情報を含むメッセージ「Ｌｏｃａｔｅ＿ｒｅｑｕｅｓｔ」８１１を基地局に送信する。メッセージ「Ｌｏｃａｔｅ＿ｒｅｑｕｅｓｔ」８１１では、メッセージ「ａｃｃｅｓｓ＿ｒｉｇｈｔｓ＿ｒｅｑｕｅｓｔ」と同じ情報を基地局に転送することができる。アクセス権手順と比較して移動局のパラメータに重要な変更箇所がある（たとえばメモリ・スペースがまだ使用可能である）場合、移動局は図６Ａおよび図６Ｂで定義した通りに「プロプラエタリへのエスケープ」フィールドを使用して、その基地局に通知することができる。
【０１７１】
基地局はメッセージ「Ｌｏｃａｔｅ＿ｒｅｑｕｅｓｔ」８１１を受信すると、移動局がその「ｔａｂｌｅ＿ＳＭ」で識別されていることを確認し、肯定するとメッセージ「Ｌｏｃａｔｅ＿ａｃｃｅｐｔ」８１２を戻す。次に基地局は、その「ｔａｂｌｅ＿ＳＭ」すなわち宣言された移動局のテーブルに記憶している情報を使用して、検討中の移動局を適切なリスト、すなわちその動作能力ＣＯがＳＢ／ＳＭ＿ａｕｔｏと等しい場合はＬｉｓｔ＿ＳＭ＿ａｕｔｏ、その動作能力ＣＯがＳＢ／ＳＭ＿ｍａｎｕａｌと等しい場合はＬｉｓｔ＿ＳＭ＿ｍａｎｕａｌ、その動作能力がＳＢ／ＳＭ＿ｄｉｒｅｃｔと等しい場合はＬｉｓｔ＿ＳＭ＿ｄｉｒｅｃｔに挿入する。
【０１７２】
接続の逆の手順が切離しである。移動局がセルを去るかまたは切断されると、メッセージ「ｄｅｔａｃｈ」８１３を基地局に送信し、移動局をその動作能力に対応するリストから取り除く。
【０１７３】
ただし、切離し手順は、移動局がセルを去ることによって開始するとは限らない（たとえば故障や速度超過による）。図８Ｂの最後の部分は、基地局がそのランダム・アクセス・メモリ３０４に記憶しているリストに保存されている情報の妥当性を定期的にチェックする方法を示している。
【０１７４】
次に基地局は、そのフィールド「ｉｎｆｏ＿ｔｙｐｅ」が「ｌｏｃａｔｅ＿ｓｕｇｇｅｓｔ」に等しいメッセージ「ＭＭ＿ｉｎｆｏ＿ｓｕｇｇｅｓｔ」８２１によって、その位置（またはその接続）を更新する手順についての要求を送信する。移動局の位置を更新する手順は接続手順と同じであって、メッセージ８２２および８２３はそれぞれメッセージ８１１および８１２と同じである。
【０１７５】
図７、８Ａ、および８Ｂに示した備えにより、リストｌｉｓｔ＿ＳＭ＿ａｕｔｏは、セル内に存在し基地局モードと移動局モードとを自動的に切り替える能力を有するすべての移動局を含む。
【０１７６】
図２３に関して説明してあるように、ｌｉｓｔ＿ＳＭ＿ａｕｔｏは移動局が基地局になることによる能力低下によって分類される。リストの最初の要素は、基地局になる最高の能力を有する移動局に関連する。このリストを分類するために、各接続手順、切離し手順、または更新手順後に、基地局はｔａｂｌｅ＿ＳＭ＿ａｕｔｏに記憶しているすべてのパラメータ（本発明の第１〜第６の態様によればＣＭ、ＲＭ、ＣＰ、ＩＰ、ＴＳ、ＤＭ、．．．であり、本発明の第７および第８の態様によればＣＭ、ＲＭ、ＣＰ、ＩＰ、ＴＳ、ＤＭ、ＣＦ、ＣＥ、ＩＲ、．．．である）を考慮に入れる。
【０１７７】
ｌｉｓｔ＿ＳＭ＿ｍａｎｕａｌは、ｌｉｓｔ＿ＳＭ＿ａｕｔｏと同じ方法で記憶される。これらのリストは、
−基地局が非アクティブになった後に電源が切断されるかまたは移動局モードに切り替えられ、基地局が基地局になる能力を有する移動局の中から交代基地局を探す場合と、
−基地局が過度に使用され（空きメモリなし、同時通信数が所定値を超える）、基地局が通信量の一部を引き継ぐ第２の基地局を探す場合に使用できる。
【０１７８】
次に基地局は、ｌｉｓｔ＿ＳＭ＿ａｕｔｏから第１の移動局を選択する。ｌｉｓｔ＿ＳＭ＿ａｕｔｏが空の場合、またはリストｌｉｓｔ＿ＳＭ＿ａｕｔｏ内に適切な通信局がない場合、基地局はｌｉｓｔ＿ＳＭ＿ｍａｎｕａｌに示した第１の移動局を使用することができる。基地局は次に、検討中の移動局で機能モードの変更が必要であることをユーザに警告するために、ディスプレイまたは選択した移動局への信号送信をトリガするメッセージを送信する必要がある。
【０１７９】
基地局はｌｉｓｔ＿ＳＭ＿ｄｉｒｅｃｔを使用し、その結果、それぞれがこのリストに示された少なくとも１つの通信局を含むセル内部の通信は、この通信局によって直接組織化される。
【０１８０】
図９および図１０は、活動中の基地局（「初期」と呼ぶ）が交代基地局（「最終」と呼ぶ）を見つける方法を示しており、この方法はたとえば、（切断あるいは移動局モードへの自動または手動の切替えにより）初期基地局が基地局としてのその役割を果たすことができなくなったときに行う。
【０１８１】
図９に示した手順は、アクティブな接続がない場合に限って実現可能である。またこの手順中には、どんな新しい接続要求も拒否される。
【０１８２】
図９に示したように、初期基地局はテスト９０２を開始し、この間に初期基地局は（図１に示したように）別の基地局が存在するか否かを判定する。テスト９０２の結果が肯定である場合、初期基地局と通信する移動局が基地局をその通信用に置き換えることが可能になることからこの手順は首尾良く完了し、初期基地局は機能モードを変更して移動局になり動作９１２に移行する。
【０１８３】
テスト９０２の結果が否定である場合、テスト９０３実行中に初期基地局は、ｌｉｓｔ＿ＳＭ＿ａｕｔｏが空であるか否かを判定する。テスト９０３の結果が肯定である場合、基地局の役割を果たすことのできる移動局がいっさいなくなることから、手順は失敗で終了する。その後ユーザに、基地局がその活動を終了するとすべての通信が中断されて動作９１３に移行することが通知される。
【０１８４】
テスト９０３の結果が否定である場合、動作９０４中に変数ｌが値「０」に初期設定される。次に動作９０５中に、初期基地局はメッセージ「ｎｅｗ＿ｂａｓｅ＿ｒｅｑｕｅｓｔ」をｌｉｓｔ＿ＳＭ＿ａｕｔｏのｌ番目の移動局に送信する。動作９０５中に初期基地局は、本発明の目的である装置による移動局が応答できるだけの十分な期間の間待機してから、テスト９０６を実行する。次にこのテスト９０６中に初期基地局は、それが検討中の移動局からメッセージ「ｎｅｗ＿ｂａｓｅ＿ａｃｃｅｐｔ」を受信したか否かを判定する。
【０１８５】
テスト９０６の結果が肯定である場合、動作９０７中に、テーブルｔａｂｌｅ＿ＳＭおよびリストｌｉｓｔ＿ＳＭ＿ａｕｔｏ、ｌｉｓｔ＿ＳＭ＿ｍａｎｕａｌ、ｌｉｓｔ＿ＳＭ＿ｄｉｒｅｃｔに記憶された情報が、検討中の移動局のランダム・アクセス・メモリに転送される。次にテスト９０８中に初期基地局は、それが検討中の移動局からデータ転送確認メッセージを受信したか否かを判定する。テスト９０８の結果が否定である場合、それを反復する。テスト９０８の結果が肯定である場合、初期基地局は動作モードを変更して動作９１２に移行し、基地局変更動作は初期基地局側で首尾良く終了する。
【０１８６】
テスト９０６の結果が否定である場合初期基地局は、基地局の役割の割振りがリストｌｉｓｔ＿ＳＭ＿ａｕｔｏのｌ番目の通信局によって拒否されたものとみなす。次に動作９１０中に、変数ｌの値を１だけ増分する。次にテスト９１１中に初期基地局は、変数ｌの値がｌｉｓｔ＿ＳＭ＿ａｕｔｏに示された移動局の数以上であるか否かを判定する。
【０１８７】
テスト９１１の結果が否定である場合、動作９０５を反復する。テスト９１１の結果が肯定である場合、基地局変更手順は失敗で終了し、ユーザに対して初期基地局の活動中止によりすべての通信が中断することを警告して動作９１３に移行する。
【０１８８】
図示されていない変形形態により、テスト９１１中にリストｌｉｓｔ＿ＳＭ＿ａｕｔｏのすべてに目を通したと判定すると、動作およびテスト９０５〜９１２を反復してリストｌｉｓｔ＿ＳＭ＿ｍａｎｕａｌに目を通す。次に、メッセージ「ｎｅｗ−ｂａｓｅ−ａｃｃｅｐｔ」（テスト９０６）を送信した移動局が機能モードの変更を確認するメッセージを送信した後に限り、動作９１２を実行する。
【０１８９】
テスト９０２中に別の基地局を検出するかまたはテスト９０８中に移動局による情報転送を確認することにより、手順が首尾良く終了すると、初期基地局を切断し、その場合に初期基地局がその活動を停止することによって図９に示した手順が引き起こされない限り、基地局はこのように動作モードを変更して移動局になっている。
【０１９０】
図１０は、移動局の一部分上での基地局変更手順を示したものであって、これがテスト１００１中にメッセージ「ｎｅｗ＿ｂａｓｅ＿ｒｅｑｕｅｓｔ」を基地局から受信していることを判定する、検討中の移動局向けの手順である。次に、テスト１００２中に移動局は、その動作能力ＣＯが値ＳＢ／ＳＭ＿ａｕｔｏまたはＳＢ／ＳＭ＿ｍａｎｕａｌの１つを有するか否かを判定し、情報「ＢＡ」の値が「真」であるか否かを判定する。テスト１００２の結果が否定である場合、基地局の役割の割振りが拒否されたことを示すために、動作１００４中にメッセージ「ｎｅｗ＿ｂａｓｅ＿ｒｅｊｅｃｔ」が検討中の移動局によって基地局に送信される。その後、移動局が基地局機能モードに切り替えられずにこの手順は終了する。
【０１９１】
テスト１００２の結果が肯定である場合、テスト１００３中に移動局は、その使用可能メモリ容量ＭＤが読取り専用メモリ３０５に記憶している値ＭＤ＿Ｎ１よりも厳密に少ないか否かを判定する。この値ＭＤ＿Ｎ１は実際には、基地局の役割を果たすための最小使用可能メモリ容量に対応する。
【０１９２】
テスト１００３の結果が肯定である場合、動作１００４を実行する。テスト１００３の結果が否定である場合、動作１００５中に移動局は、基地局の役割を受諾するメッセージ「ｎｅｗ＿ｂａｓｅ＿ａｃｃｅｐｔ」を初期基地局に送信する。次にテスト１００６中に移動局は、それが初期基地局から基地局の役割を果たすために必要な情報、すなわちリストｌｉｓｔ＿ＳＭ＿ａｕｔｏ、ｌｉｓｔ＿ＳＭ＿ｍａｎｕａｌ、ｌｉｓｔ＿ＳＭ＿ｄｉｒｅｃｔとテーブルｔａｂｌｅ＿ＳＭに記憶しているすべての情報を受信したか否かを判定する。
【０１９３】
テスト１００６の結果が否定である場合、それを反復する。テスト１００６の結果が肯定である場合、動作１００７中に移動局は、基地局に対して情報の受信確認を送信する。次に動作１００８中に移動局は、機能モードを変更して基地局になる。ここでこの手順は終了する。
【０１９４】
移動局が動作コード値ＳＢ／ＳＭ＿ｍａｎｕａｌを有する場合、テスト１００３は、
−問題の通信局の動作モードを手動で切り替える必要があることをユーザに警告するために警告信号をトリガすることと、
−手動切替えを実行する時間をユーザに与えるだけの十分な期間の間待機することと、
−ユーザが動作モードを変更するのをテストする（図示せず）ことにより補足され、この場合ユーザは所定の期間の間動作モードの変更を実行せずに、その後テスト１００３を実行して、動作１００４を実行する。
【０１９５】
図９および図１０に示した機能モードにより、初期基地局は交代基地局を選択するために静的基準を使用しているので、ネットワークまたは移動局内の変更によって即時に値を変更することがなく、これに対して将来の基地局として予定された移動局は動的基準を使用して新しい基地局の役割を受諾したり拒否したりすることが可能であるため、基地局としてのその活動を妨げる移動局の状態におけるどんな変更をも即時に考慮することに留意されたい。
【０１９６】
図１１および図１２は、初期の移動局である通信局が主導的立場に立って基地局で変更を実行する方法を示している。たとえば、こうした移動局が初期基地局上でロックされていると次に電源が入れられ、この移動局が（たとえばそれがすべての変形形態とＤＥＣＴ規格のほとんどの拡張モードをサポートしているために）次の基地局候補である場合は、テスト１１０１の結果が肯定になる。そうでなければ、この手順は終了する。テスト１１０１の結果が肯定である場合、動作１１０２中に移動局は、ＤＥＣＴ規格で「Ｑ」の名前で既知のチャネルを聴取する。実際にはこのチャネル上で、初期基地局が移動局に役立つ可能性のある情報、および特にそれがサポートしているＤＥＣＴプロファイルに関係する情報を定期的に同報通信する。
【０１９７】
次にテスト１１０３中に移動局は、それが初期基地局よりも優れた能力を有する基地局となるか否かを判定する。テスト１１０３の結果が否定である場合、この手順は終了する。テスト１１０３の結果が肯定である場合、動作１１０４中に移動局は、基地局の変更が必要であることを意味するメッセージ「ｃｈｇ＿ｂａｓｅ＿ｒｅｑｕｅｓｔ」を初期基地局に送信し、次にそれが本発明の通信装置による場合に基地局が応答メッセージを送信できるだけの十分な時間を経過できるようにする。
【０１９８】
次にテスト１１０５中に移動局は、今度は基地局から基地局の変更の受諾を意味するメッセージ「ｃｈｇ＿ｂａｓｅ＿ａｃｃｅｐｔ」を受信したか否かを判定する。テスト１１０５の結果が否定である場合、移動局はそれが初期基地局の一部分で基地局を変更することに対する拒否を受信したとみなして、基地局変更手順を終了する。
【０１９９】
テスト１１０５の結果が肯定である場合、動作１１０６、１１０７、１１０８はそれぞれ動作１００６、１００７、１００８と同一である。ここで基地局変更手順を終了する。
【０２００】
初期基地局側ではテスト１２０１中に、ロックされた移動局からメッセージ「ｃｈｇ＿ｂａｓｅ＿ｒｅｑｕｅｓｔ」を受信したことを判定すると、テスト１２０２を実行し、この間に通信能力を表す情報「ＢＡ」が「真」であり動作モードＭＯが基地局のそれに対応しているか否かをどちらも同時に判定する。
【０２０１】
テスト１２０２の結果が否定である場合、動作１２０３中に初期基地局は、検討中の移動局にメッセージ「ｃｈｇ＿ｂａｓｅ＿ｒｅｊｅｃｔ」を送信する。ここでこの手順を終了する。テスト１２０２の結果が肯定である場合、動作１２０４中に初期基地局は、検討中の移動局にメッセージ「ｃｈｇ＿ｂａｓｅ＿ａｃｃｅｐｔ」を送信する。次にテスト１２０５中に初期基地局は、アクティブな接続があるか否かを判定する。
【０２０２】
テスト１２０５の結果が肯定である場合、これを反復する。テスト１２０５の結果が否定である場合、動作１２０６中に基地局は、検討中の移動局にテーブルｔａｂｌｅ＿ＳＭおよびリストｌｉｓｔ＿ＳＭ＿ａｕｔｏ、ｌｉｓｔ＿ＳＭ＿ｍａｎｕａｌ、ｌｉｓｔ＿ＳＭ＿ｄｉｒｅｃｔに記憶している情報を送信する。
【０２０３】
次にテスト１２０７中に初期基地局は、検討中の移動局からデータの転送を確認するメッセージを受信したか否かを判定する。テスト１２０７の結果が否定である場合、これを反復する。テスト１２０７の結果が肯定である場合、動作１２０８中に初期基地局は動作モードを変更して移動局モードでの機能を開始し、基地局変更動作は首尾良く終了する。
【０２０４】
図１３は、
−メッセージ１３０１〜１３０４の形式で、図９および図１０に示した手順により、左側の初期基地局と右側の基地局になる移動局との間で交換されるメッセージと、
−メッセージ１３０５および１３０６の形式で、図１１および図１２に示した手順により、左側の移動局と基地局との間で交換されるメッセージとを示している。
【０２０５】
基地局モードで動作しているネットワークに存在する移動局の能力に関する情報を収集するために、本発明による基地局は図１４Ａに示した同報通信タイプのメッセージを使用する。したがって基地局はすべての移動局に照会して、
−自動的に基地局モードに切り替わることのできる移動局のリストと、
−基地局が選択した１つまたは複数のパラメータによって分類された同じリストと、
−所与のときに基地局モードで機能する最高の総合的能力を有する移動局の識別と、
−基地局により定められた１つまたは複数の基準により、基地局モードで機能する最高の能力を有する移動局の識別に関する情報を取得する。
【０２０６】
第１のタイプのメッセージ１４０１（図１４Ａ）は、基地局同報通信からすべての移動局に対する要求であって、
−概ね「基地局による同報通信要求」を意味するメッセージ・コード・フィールド１４０２「ｂｒｏａｄｃａｓｔ＿ＳＢ＿ｒｅｑ」と、
−問題の要求タイプを定義するタイプ・フィールド１４０３  ＣＴと、
−要求内のパラメータ数を定義する長さフィールド１４０４  ＣＬと、
−どれが応答を待っているかに関する基準を含むパラメータ・フィールド１４０５  ＣＰ（０）〜１４０６  ＣＰ（ＣＬ−１）のフィールドを含む。
【０２０７】
タイプ・フィールド１４０３  ＣＴおよび長さフィールド１４０４  ＣＬは異なる値を取ることができ、要求に応答する方法ならびにどの基準に応じて応答するかを異なる移動局に対して指定することが可能であり、後者はフィールド１４０５〜１４０６によって指定される。
【０２０８】
フィールド１４０３  ＣＴで送信される情報が「０」である場合、各移動局は基地局として動作するその能力を遅延なく送信する必要があり、フィールド１４０４  ＣＬに含まれる値が非ゼロであれば、各移動局は要求に指定されたパラメータの値を戻す必要がある。
【０２０９】
フィールド１４０３  ＣＴで送信される情報が「１」である場合、各移動局は基地局として動作するその能力をある期間後に送信する必要があって、その値はその移動局が基地局になる能力の値を表しており、またフィールド１４０４  ＣＬに含まれる値が非ゼロであれば、各移動局は要求に指定されたパラメータの値を戻す必要がある。
【０２１０】
移動局が基地局になる能力の測定は、以下に記載の応答時間によって判定する。
【０２１１】
本発明の第１から第６の態様によれば、フィールド１４０５から１４０６で表されるパラメータは、
−動作能力ＣＯと、
−使用可能メモリ容量と、
−サポートされているＤＥＣＴプロファイルと、
−サポートされているＤＥＣＴスロット・タイプ（単スロット、倍スロット、または半スロット）と、
−中央ユニットの計算能力を含む。
【０２１２】
本発明の第７および第８の態様によれば、フィールド１４０５から１４０６で表されるパラメータは、
−動作能力ＣＯと、
−使用可能メモリ容量ＣＭと、
−そのエネルギー係数ＣＥと、
−その固定係数ＣＦと、
−そのネットワーク・インタフェース情報ＩＲと、
−サポートされているＤＥＣＴプロファイルと、
−サポートされているＤＥＣＴスロット・タイプ（単スロット、倍スロット、または半スロット）と、
−中央ユニットの計算能力を含む。
【０２１３】
メッセージ１４１１「ｂｒｏａｄｃａｓｔ＿ＳＢ＿ａｎｓ」（図１４Ｂ）は概ね「基地局によるメッセージ同報通信への応答」を意味しており、異なる移動局の基地局に対する応答に関する。このメッセージ１４１１は、定方位接続モードを使用して送信する。このメッセージは、
−メッセージ・コード・フィールド１４１２と、
−ここで移動局がその識別を指定する識別・フィールド１４１３と、
−移動局の応答を示す応答フィールド１４１４ＣＲと、
−応答内のデータ数を表す長さフィールド１４１５ＣＬ’と、
−基地局が必要とするデータを含むデータ・フィールド１４１６〜１４１７を含む。
【０２１４】
応答フィールド１４１４ＣＲは、
−通信局が基地局として活動する能力を有し、長さフィールド１４１５が非ゼロ長さを示す場合はデータ・フィールドがここで基地局が必要とするパラメータに関する情報を与えることを意味する「ａｃｃｅｐｔ」（「受諾」）の値と、
−移動局が基地局として即座に活動できないかまたは基地局が必要とするパラメータに関する情報を有していないことを意味する「ｒｅｊｅｃｔ」（「拒否」）の値を取ることが可能である。長さフィールド１４１５が非ゼロ長さを示す場合は、データ・フィールドが拒否について説明することができる。
【０２１５】
移動局の一部でメッセージ１４０１への応答がない場合は、所定の期間が経過したときに、応答フィールドＣＲが「ｒｅｊｅｃｔ」である応答とみなされる。
【０２１６】
デフォルトでは、メッセージ１４０１で動作能力が必要でない場合、１つの機能モードから別の機能モードへ自動的に切り替わる能力を有する移動局だけがメッセージ１４１１によって応答できる。
【０２１７】
図１５は、基地局と基地局になる能力を有する各移動局との間でのメッセージ交換を示している。メッセージ１４０１は、基地局によって定期的なスロットで、たとえば毎分ごとに同報通信される。
【０２１８】
図１５では、メッセージ１４０１Ａが遅延なしタイプ（ＣＴ＝０）のメッセージ１４０１で、長さフィールドＣＬも「０」である。次に本発明によるそれぞれの移動局は、メッセージ１４１１Ａ、１４１１Ｂ、または１４１１Ｃの形式で折り返し（すなわち待機なしで）応答する。記載の例で移動局２０４、２０５、２０１は、最初の２つには「ａｃｃｅｐｔ」タイプの応答フィールドＣＲで、最後の１つには「ｒｅｊｅｃｔ」タイプの応答フィールドＣＲで応答する。
【０２１９】
応答フィールドを決定するために本発明による各移動局は、その動作コードが「ＳＢ／ＳＭ＿ａｕｔｏ」コードまたは「ＳＢ／ＳＭ＿ｍａｎｕａｌ」コードのうちの１つであるか否かを判定し、肯定である場合はその使用可能メモリ容量が所定の値ＭＤ＿Ｎ１より大きいか否かを判定する。
【０２２０】
図１６では、同報通信メッセージ１４０１Ｂは遅延（ＣＴ＝１）とパラメータ（ＣＬ＝１）を備えたタイプのメッセージ１４０１であって、採用したパラメータのみが動作能力となる。基地局として機能する能力を有する移動局は、その動作能力の値の関数となる期間の間待機しながら応答し、応答する最初の移動局は「ＳＢ／ＳＭ＿ａｕｔｏ」に等しい動作能力を有し（メッセージ１４１１Ｄおよび１４１１Ｅ）、応答する最後の移動局は「ＳＢ／ＳＭ＿ｍａｎｕａｌ」に等しい動作能力を有する（メッセージ１４１１Ｆ）。
【０２２１】
一般に、本発明の第１から第６の態様の実施形態では、応答するまでの待機期間をメッセージ１４０１Ｂを受信した瞬間からと決定している。この期間は、
Ｔａｎｓｗｅｒ＝ＣＣＯ．ｔＣＯ＋ＣＰＲ．ｔＣＰＲ＋ＣＭＤ．ｔＣＭＤの値をとり、この式で、
−ＣＣＯは、動作能力係数（動作能力が「ＳＢ／ＳＭ＿ａｕｔｏ」の場合は「０」、動作能力が「ＳＢ／ＳＭ＿ｍａｎｕａｌ」の場合は「５」、動作能力が「ＳＭ／ＳＭ＿ｄｉｒｅｃｔ」の場合は「５」、動作能力が「ＳＭ」の場合は無限大）、
−ＣＰＲは、サポートされたプロファイル係数（サポートされたプロファイルがＢ、ＭＭＡＰ、ＧＡＰの場合は「０」、サポートされたプロファイルがＡおよびＧＡＰの場合は「１」、サポートされたプロファイルがＧＡＰのみの場合は「２」）、
−ＣＭＤは、使用可能メモリ係数、
−ｔＣＣＯは、動作能力係数に割り振られた期間、
−ｔＣＰＲは、サポートされたプロファイル係数に割り振られた期間、
−ｔＣＭＤは、使用可能メモリ係数に割り振られた期間である。
【０２２２】
たとえば、上記の３つの期間は１０ミリ秒である（応答期間に関するＤＥＣＴフレームの期間は、常にＤＥＣＴフレームの期間の２倍になる）。
【０２２３】
一般に、本発明の第７および第８の態様の実施形態では、応答するまでの待機期間をメッセージ１４０１Ｂを受信した瞬間からと決定している。この期間は、
Ｔａｎｓｗｅｒ＝ＣＣＯ．ｔＣＯ＋ＣＰＲ．ｔＣＰＲ＋ＣＮＤ．ｔＣＭＤ＋ＣＥ．ｔＣＥ＋ＣＦ．ｔＣＦ＋ＣＩＲ．ｔＣＩＲ
の値をとり、この式で、
−ＣＣＯは、動作能力係数（動作能力が「ＳＢ／ＳＭ＿ａｕｔｏ」の場合は「０」、動作能力が「ＳＢ／ＳＭ＿ｍａｎｕａｌ」の場合は「５」、動作能力が「ＳＭ／ＳＭ＿ｄｉｒｅｃｔ」の場合は「５」、動作能力が「ＳＭ」の場合は無限大）、
−ＣＰＲは、サポートされたプロファイル係数（サポートされたプロファイルがＢ、ＭＭＡＰ、ＧＡＰの場合は「０」、サポートされたプロファイルがＡおよびＧＡＰの場合は「１」、サポートされたプロファイルがＧＡＰのみの場合は「２」）、
−ＣＭＤは、使用可能メモリ係数、
−ｔＣＣＯは、動作能力係数に割り振られた期間、
−ｔＣＰＲは、サポートされたプロファイル係数に割り振られた期間、
−ｔＣＭＤは、使用可能メモリ係数に割り振られた期間
−ｔＣＥは、エネルギー係数に割り振られた期間、
−ｔＣＦは、固定係数に割り振られた期間、
−ｔＣＩＲは、ネットワーク・インタフェース係数に割り振られた期間である。
【０２２４】
たとえば、上記の６つの期間は１０ミリ秒である（応答期間に関するＤＥＣＴフレームの期間は、常にＤＥＣＴフレームの期間の２倍になる）。
【０２２５】
図１６では、応答時間を算出する式が、
Ｔａｎｓｗｅｒ＝ＣＣＯ．ｔＣＯに限定されており、メッセージ１６０１に表されるパラメータは動作能力パラメータのみである。
【０２２６】
図１７は、メッセージが所定のタイミングにより送信されることを示している。各通信サイクル１７０１、１７０２、または１７０３は１０ミリ秒の間継続し、１２の等しい時間スロットに分割される。１つの通信の場合、各サイクルに１つまたは複数の時間スロットが一定の方法で割り振られる。
【０２２７】
図１８Ａは、セル内部での接続を確立するための現況技術を示している。図１８Ａは、移動局１８０２と移動局１８０３の間の内部通信の経路を示している。この通信は、基地局１８０１を通過する。移動局１８０２と基地局１８０１との間のリンク上を時間ｔで通過する情報は、次に基地局１８０１と移動局１８０３との間のリンク上を通過する。したがって情報が重複し、同一の情報が２回送信されるためにセルの通信媒体の２重占有が生じる。
【０２２８】
この通信媒体の２重占有は、送信される情報が音声情報の場合は問題にならない。データ通信の場合、通信媒体のリンク、情報、および占有の重複によってセルが飽和状態になり、セル外部への接続要求を遮断してしまう場合がある。
【０２２９】
図１８Ｂおよび図１８Ｃに、本発明の目的である装置の機能、すなわち上記のような重複を避けるための機能が示してある。
【０２３０】
この機能では、
−通信しようとしている移動局１８０５および１８０６のうちの少なくとも１つが基地局モードで機能できる場合、または移動局１８０５および１８０６の双方が直接通信できる場合、セルはこの２つの移動局間での通信が他の通信局を経由せずに直接行われるように組織化され、
−これと反対の場合、基地局として機能できる移動局１８１０が通信しようとしている２つの移動局１８０５および１８０６と向かい合ってこの役割を果たし、初期基地局１８０４を移動局１８０５と１８０６との間の通信に関するトラフィックから解放するために、この２つと共に新しいセルを構成する。
【０２３１】
図１９は、新しいセルの作成を実現する方法または移動局が直接通信する方法を、流れ図形式で示している。
【０２３２】
動作１９０１中に基地局１８０４は、移動局１８０６から移動局１８０５向けのセル内部での発呼要求を受信するとテスト１９０２を実行し、その間に
−要求された接続が所定の値よりも多くのスロット数（たとえば、音声通信以外の通信が必要とする値よりも多い４スロット）を必要とするか否か、または
−必要なスロット数が使用可能なスロット数よりも多いか否かを判定する。
【０２３３】
テスト１９０２の結果が否定である場合、動作１９０３中に、移動局１８０５と１８０６との間の接続が本発明以前の従来技術の既知の方式で基地局によって確立される。
【０２３４】
テスト１９０２の結果が肯定である場合、テスト１９０４中に基地局は、移動局１８０５または１８０６のうちの少なくとも１つが現行接続を有するか否かを判定する。
【０２３５】
テスト１９０４の結果が肯定である場合、動作１９０３を実行する。テスト１９０４の結果が否定である場合、テスト１９０５中に基地局は、移動局１８０５および１８０６がどちらもリストＳＭ＿ｄｉｒｅｃｔにあるか否かを判定する。テスト１９０５の結果が肯定である場合、動作１９０６中に基地局は、移動局１８０５および１８０６のそれぞれにメッセージ「ｓｗｉｔｃｈ−ｍｏｄｅ−ｒｅｑｕｅｓｔ」を送信して、直接通信モードに切り替えることをそれらに示し対話相手を構成する移動局の識別を示す（図２１Ｂを参照すること）。
【０２３６】
移動局１８０５と１８０６との間の直接通信の実現に失敗すると（たとえばどちらか一方の移動局が直接通信モードへの切替えを拒否した場合）、テスト１９０７を実行する（以下を参照すること）。
【０２３７】
移動局１８０５と１８０６を直接通信モードにすることに成功すると、その直接通信の終わりに２つの移動局はそれ自体をもう一度基地局１８０４と同期させる。
【０２３８】
テスト１９０５の結果が否定である場合、テスト１９０７中に基地局１８０４は、移動局１８０５がｌｉｓｔ＿ＳＭ＿ａｕｔｏに入っているか否かを判定する。テスト１９０７の結果が肯定である場合、動作１９０８中に基地局１８０４は、移動局１８０５を基地局モードに切り替える必要があることをそれに示すために移動局１８０５にメッセージ「ｓｗｉｔｃｈ−ｍｏｄｅ−ｒｅｑｕｅｓｔ」２１０１（図２１Ａ）を送信し、移動局１８０６の識別をこれに送信してその結果移動局１８０５がこれにアクセス権を割り振る。
【０２３９】
さらに、移動局１８０５からメッセージ「ｓｗｉｔｃｈ−ｍｏｄｅ−ａｃｃｅｐｔ」２１０２を受信すると基地局１８０４は、移動局１８０６がそれ自体を新しい基地局１８０５と同期させる必要があることをそれに示すために、移動局１８０６に基地局１８０５の識別を含むメッセージ「ｓｗｉｔｃｈ−ｂａｓｅ−ｒｅｑｕｅｓｔ」２１０３を送信する（図２１Ａを参照すること）。
【０２４０】
移動局１８０５を基地局モードに切り替えることに失敗する（たとえば切替えを拒否する）と、テスト１９０９を実行する（以下を参照すること）。
【０２４１】
テスト１９０７の結果が否定である場合、テスト１９０９中に基地局１８０４は、移動局１８０６がｌｉｓｔ＿ＳＭ＿ａｕｔｏに入っているか否かを判定する。テスト１９０９の結果が肯定である場合、動作１９１０中に基地局１８０４は、移動局１８０６を基地局モードに切り替える必要があることをこれに示すために移動局１８０６にメッセージ「ｓｗｉｔｃｈ−ｍｏｄｅ−ｒｅｑｕｅｓｔ」２１０１を送信し、これに移動局１８０５の識別を送信して、その結果移動局１８０６がこれにアクセス権を割り振る。
【０２４２】
さらに、移動局１８０６からメッセージ「ｓｗｉｔｃｈ−ｍｏｄｅ−ａｃｃｅｐｔ」２１０２を受信すると基地局１８０４は、移動局１８０５がそれ自体を新しい基地局１８０６と同期させる必要があることをそれに示すために、移動局１８０５に基地局１８０６の識別を含むメッセージ「ｓｗｉｔｃｈ−ｂａｓｅ−ｒｅｑｕｅｓｔ」２１０３を送信する。
【０２４３】
図２１Ａによれば、基地局モードに切り替える移動局のうちの１つに対して、通信局１８０５と１８０６との間のデータ通信２１０４が終了すると同時に、それを使用してデータを通信していた移動局にメッセージ「ｓｗｉｔｈｃ−ｂａｓｅ−ｒｅｑｕｅｓｔ」２１０５を送信した後、移動局モードに戻ることがわかるであろう。このメッセージ２１０５を受信した移動局は次に、それ自体を再度基地局１８０４と同期させる。
【０２４４】
移動局１８０６を基地局モードに切り替えることに失敗する（たとえば切替えを拒否する）と、動作１９１１を実行する（以下を参照すること）。
【０２４５】
テスト１９０９の結果が否定である場合、動作１９１１（図２０）中に基地局は、依然として使用可能なスロット数が要求された通信に必要なスロット数よりも厳密に少ないか否かを判定する。
【０２４６】
テスト１９１１の結果が否定である場合、動作１９０３を実行する。テスト１９１１の結果が肯定である場合、動作１９１２中に一時的変数ｋを値「０」に初期設定する。次にテスト１９１３中に基地局は、変数ｋの値がリストｌｉｓｔ＿ＳＭ＿ａｕｔｏのサイズよりも厳密に小さいか否かを判定する。テスト１９１３の結果が否定である場合、動作１９０３を実行する。ここで既知の現況技術によれば手順が拒否されることがあるため、動作１９０３の性能が通信のセットアップを保証するものではないことに留意されたい。テスト１９１３の結果が肯定である場合、テスト１９１４中に基地局は、リストｌｉｓｔ＿ＳＭ＿ａｕｔｏのｋ番目の通信局が現行接続を有しているか否かを判定する。
【０２４７】
テスト１９１４の結果が肯定である場合、動作１９１５中に変数ｋの値を１だけ増分する。次に１９１３を反復する。テスト１９１４の結果が否定である場合、動作１９１６中に基地局１８０４は、リストｌｉｓｔ＿ＳＭ＿ａｕｔｏのｋ番目の位置で識別された移動局、ここでは移動局１８１０に、メッセージ「ｓｗｉｔｃｈ−ｍｏｄｅ−ｒｅｑｕｅｓｔ」を送信し、次に検討中の移動局１８１０が新しい基地局の役割を果たすことに合意した場合は、初期基地局１８０４が移動局１８０５および１８０６のそれぞれに新しい基地局１８１０の識別を示すメッセージ「ｓｗｉｔｃｈ−ｂａｓｅ−ｒｅｑｕｅｓｔ」を送信し、その結果移動局１８０５および１８０６のそれぞれが、それ自体を新しい基地局１８１０と同期させる（図２２を参照すること）。
【０２４８】
移動局１８０５と１８０６との間の通信の終わりに、新しい基地局１８１０を再度移動局機能モードに切り替える。
【０２４９】
メッセージ「ｓｗｉｔｃｈ−ｍｏｄｅ−ｒｅｑｕｅｓｔ」を受信したときに移動局１８１０がメッセージ「ｓｗｉｔｃｈ−ｍｏｄｅ−ｒｅｊｅｃｔ」を送信するかまたはメッセージ「ｓｗｉｔｃｈ−ｍｏｄｅ−ｒｅｑｕｅｓｔ」に応答しないことによって通信モードの変更を拒否した場合、基地局１８０４が動作１９１５を実行する。
【０２５０】
記載されていない変形形態によれば、テスト１９１３の結果が否定である場合、テスト１９０７で始まる図１９および図２０に示した流れ図の一部分を再度実行するが、リスト「ｌｉｓｔ＿ＳＭ＿ａｕｔｏ」の代わりにリスト「ｌｉｓｔ＿ＳＭ＿ｍａｎｕａｌ」を検討する。
【０２５１】
図２１Ａでは、基地局モードに切り替わる移動局１８０５とそれ自体を基地局１８０５に接続する移動局１８０６の場合、初期基地局１８０４はまず第１に移動局１８０５にメッセージ「ｓｗｉｔｃｈ−ｍｏｄｅ−ｒｅｑｕｅｓｔ」２１０１を送信し、メッセージ「ｓｗｉｔｃｈ−ｍｏｄｅ−ａｃｃｅｐｔ」２１０２が返されるのを待つことがわかる。次に初期基地局１８０４は、移動局１８０６にメッセージ「ｓｗｉｔｃｈ−ｂａｓｅ−ｒｅｑｕｅｓｔ」２１０３を送信し、メッセージ「ｓｗｉｔｃｈ−ｂａｓｅ−ａｃｃｅｐｔ」２１０６が返されるのを待つ。
【０２５２】
移動局１８０５と１８０６との間の通信が終了すると、メッセージ「ｓｗｉｔｃｈ−ｂａｓｅ−ｒｅｑｕｅｓｔ」２１０５の後にメッセージ「ｓｗｉｔｃｈ−ｂａｓｅ−ａｃｃｅｐｔ」２１０７が返される。
【０２５３】
図２１Ｂでは、移動局１８０５と１８０６との間の直接通信を確立するために、動作１９０６中に基地局１８０４は、まず第１にセットアップする通信に関係する移動局のうちの１つ（たとえば移動局１８０５）に要求された通信モード（直接通信モード）を示し他方の移動局の識別を示すメッセージ２１１１「ｓｗｉｔｃｈ−ｍｏｄｅ−ｒｅｑｕｅｓｔ」を送信することがわかる。移動局（この例では移動局１８０５）からメッセージ「ｓｗｉｔｃｈ−ｍｏｄｅ−ｒｅｑｕｅｓｔ」２１１１が意図したメッセージ「ｓｗｉｔｃｈ−ｍｏｄｅ−ａｃｃｅｐｔ」２１１２を受信すると、基地局１８０４はこの通信に関係する他方の移動局（この例では移動局１８０６）に、要求された通信モード（直接通信モード）を示し他方の移動局の識別を示すメッセージ「ｓｗｉｔｃｈ−ｍｏｄｅ−ｒｅｑｕｅｓｔ」２１１３を送信する。移動局（この例では移動局１８０６）からメッセージ「ｓｗｉｔｃｈ−ｍｏｄｅ−ｒｅｑｕｅｓｔ」２１１３が意図したメッセージ「ｓｗｉｔｃｈ−ｍｏｄｅ−ａｃｃｅｐｔ」２１１４を受信すると、２つの移動局は直接通信モードに切り替わる。この通信の終わりに、移動局１８０５は移動局１８０６にメッセージ「ｓｗｉｔｃｈ−ｍｏｄｅ−ｒｅｑｕｅｓｔ」２１１６を送信し、メッセージ「ｓｗｉｔｃｈ−ｍｏｄｅ−ａｃｃｅｐｔ」２１１７を返信として受信し、ここでこの２つの移動局１８０５と１８０６は移動局モードに切り替わる。
【０２５４】
図２２では、移動局１８０５と１８０６との間の通信を新しい基地局１８１０を使用して確立するために、動作１９１６中に基地局１８０４は、まず第１に移動局１８１０に必要な通信モードである基地局モードを示し２つの移動局１８０５と１８０６へのアクセス権を開始することを示すメッセージ「ｓｗｉｔｃｈ−ｍｏｄｅ−ｒｅｑｕｅｓｔ」２２０１を送信することがわかる。移動局１８１０からメッセージ「ｓｗｉｔｃｈ−ｍｏｄｅ−ａｃｃｅｐｔ」２２０２を受信すると、基地局１８０４は移動局１８０６にメッセージ「ｓｗｉｔｃｈ−ｂａｓｅ−ｒｅｑｕｅｓｔ」２２０３を送信する。
【０２５５】
返信のメッセージ「ｓｗｉｔｃｈ−ｂａｓｅ−ａｃｃｅｐｔ」２２０８を受信すると基地局１８０４は、移動局１８０５にメッセージ「ｓｗｉｔｃｈ−ｂａｓｅ−ｒｅｑｕｅｓｔ」２２０４を送信する。メッセージ２２０３と２２０４はそれぞれ各移動局に対して、それらの関係する新しい基地局が通信局１８１０であることを示している。
【０２５６】
移動局１８０５がメッセージ「ｓｗｉｔｃｈ−ｂａｓｅ−ａｃｃｅｐｔ」２２０９を基地局１８０４に送信した後、移動局１８０５と１８０６はそれら自体を新しい基地局１８１０に接続する。
【０２５７】
通信２２０５および２２０６を用いて移動局１８０６と１８０５は、次に新しい基地局１８１０を介して相互にデータ通信する。データ通信の終わりに、新しい基地局１８１０は移動局１８０６にメッセージ「ｓｗｉｔｃｈ−ｂａｓｅ−ｒｅｑｕｅｓｔ」２２０７を送信し、移動局１８０５にメッセージ「ｓｗｉｔｃｈ−ｂａｓｅ−ｒｅｑｕｅｓｔ」２２０８を送信するが、これらのメッセージはそれぞれの移動局に新しい基地局が通信局１８０４であることを示している。
【０２５８】
返信として移動局１８０５および１８０６からメッセージ「ｓｗｉｔｃｈ−ｂａｓｅ−ａｃｃｅｐｔ」２２１０および２２１１を受信すると、基地局１８１０は移動局モードに切り替わる。
【０２５９】
図２３は、自動的に基地局モードに切り替わる能力を有する移動局を、基地局になるこの能力を定義する基準に応じて分類するための流れ図を示している。
【０２６０】
一般に同様の手順に従って、手動で基地局モードに切り替わる能力を有する移動局のリストを分類することができる。
【０２６１】
図２３に示した手順は、新しい移動局（以下ＳＭｋとする）がそれ自体をセルに結合し図６Ａおよび６Ｂに示したメッセージを送信するときに、基地局が実行する。
【０２６２】
この事象が発生した場合、動作３２０１中に基地局の制御装置３０６が一時的変数ｌを値「０」に初期設定する。次にテスト３２０２中に制御装置３０６は一時的変数ｌの値がリストｌｉｓｔ＿ＳＭ＿ａｕｔｏのサイズ以上であるか否かを判定する。テスト３２０２の結果が肯定である場合、動作３２０７中に移動局ＳＭｋの識別をリストｌｉｓｔ＿ＳＭ＿ａｕｔｏの位置ｌに挿入し、分類手順を終了する。
【０２６３】
テスト３２０２の結果が否定である場合、テスト３２０３中に制御装置３０６は、通信局ＳＭｋの最大伝送速度がリストｌｉｓｔ＿ＳＭ＿ａｕｔｏのｌ番目の通信局の最大速度よりも厳密に速いか否かを判定する。
【０２６４】
テスト３２０３の結果が肯定である場合、動作３２０７を実行する。テスト３２０３の結果が否定である場合、テスト３２０４中に制御装置３０６は、通信局ＳＭｋの最大伝送速度がリストｌｉｓｔ＿ＳＭ＿ａｕｔｏのｌ番目の通信局の最大速度よりも厳密に遅いか否かを判定する。
【０２６５】
テスト３２０４の結果が肯定である場合、動作３２０８中に一時的変数ｌの値を１だけ増分して、テスト３２０２を反復する。テスト３２０４の結果が否定である場合、テスト３２０５中に制御装置３０６は、通信局ＳＭｋのメモリ容量がリストｌｉｓｔ＿ＳＭ＿ａｕｔｏのｌ番目の通信局のメモリ容量よりも厳密に大きいか否かを判定する。
【０２６６】
テスト３２０５の結果が肯定である場合、動作３２０７を実行する。テスト３２０５の結果が否定である場合、テスト３２０６中に制御装置３０６は、通信局ＳＭｋのメモリ容量がリストｌｉｓｔ＿ＳＭ＿ａｕｔｏのｌ番目の通信局のメモリ容量よりも厳密に小さいか否かを判定する。
【０２６７】
テスト３２０６の結果が肯定である場合、動作３２０８を実行する。テスト３２０６の結果が否定である場合、基地局になる能力に関する新しいパラメータを検討し、最大伝送速度（テスト３２０３および３２０４）またはメモリ容量（テスト３２０５および３２０６）の代わりにこの新しいパラメータを検討して、テスト３２０３および３２０４または３２０５および３２０６と同様のテストを実行する。通常、テストされるパラメータは重要度の高い順にテストされる。最後のパラメータでこれに関係する２つのテストについて再度否定の結果を検討すると、動作３２０７を実行する。
【０２６８】
ここで、ある通信局がそれ自体が現行の通信局よりも基地局になる能力が優れていると判定した場合、この通信局はその固定係数ＣＦ、そのエネルギー係数ＣＥ、そのネットワーク・インタフェース係数ＣＩＲを表す情報を含むメッセージ「ｃｈｇ−ｂａｓｅ−ｒｅｑｕｅｓｔ」を送信する。
【０２６９】
このメッセージを受信すると次に初期基地局は、これらの係数をその重要度の高い順から順番に比較し（通信係数は固定係数よりも重要度が高く、それ自体はエネルギー係数よりも重要度が高い）、各係数は順番に処理され、
−初期基地局が移動局よりも優れた係数を有する場合は、メッセージ「ｃｈｇ−ｂａｓｅ−ｒｅｊｅｃｔ」を用いて基地局の変更を拒否し、
−初期基地局が移動局よりも劣った係数を有する場合は、メッセージ「ｃｈｇ−ｂａｓｅ−ａｃｃｅｐｔ」を用いて基地局の変更を受諾し、
−後者の場合（検討中の係数に関して同等）に次の係数に進む。
【０２７０】
すべての係数が処理されると、基地局はメッセージ「ｃｈｇ−ｂａｓｅ−ａｃｃｅｐｔ」の形式で基地局の変更の受諾を返す。
【０２７１】
この手順を実現するために、移動局は図１１に示した流れ図に従って実行するが、メッセージ「ｃｈｇ−ｂａｓｅ−ｒｅｑｕｅｓｔ」で係数ＣＦ、ＣＥ、ＣＩＲを表す情報を送信するために動作１１０４だけが修正されている。
【０２７２】
基地局は次に図２５に示す動作を実行する。まず第１に動作２５０１中に基地局は、メッセージ「ｃｈｇ−ｂａｓｅ−ｒｅｑｕｅｓｔ」を受信する。次にテスト２５０２中に基地局は、その動作モードが基地局モードであるか否か（ＭＯ＝ＳＢ）を判定し、同時にそれが機能モードを変更する能力を有するか否か（ＢＡ＝真）を判定する。テスト２５０２の結果が否定である場合、基地局の制御装置３０６は動作２５０５を実行し、この間に制御装置はメッセージ「ｃｈｇ−ｂａｓｅ−ｒｅｑｕｅｓｔ」を送信した移動局にメッセージ「ｃｈｇ−ｂａｓｅ−ｒｅｊｅｃｔ」を送信する。ここでこの手順を（失敗で）終了する。
【０２７３】
テスト２５０２の結果が肯定である場合、テスト２５０３中に制御装置３０６は、受信した係数ＣＩＲがゼロであるか否かを判定する。テスト２５０３の結果が肯定である場合、テスト２５１２中に制御装置３０６は、読取り専用メモリ３０５に記憶された係数ＣＩＲがゼロであるか否かを判定する。テスト２５１２の結果が否定である場合、動作２５０５を実行する。テスト２５１２の結果が肯定である場合、テスト２５０４中に制御装置３０６は受信した係数ＣＦが読取り専用メモリ３０５に記憶された係数ＣＦ以下であるか否かを判定し、同時に受信した係数ＣＥが読取り専用メモリ３０５に記憶された係数ＣＥ以下であるか否かを判定する。
【０２７４】
テスト２５０４の結果が肯定である場合、動作２５０５を実行する。テスト２５０４の結果が否定である場合、以下に記載の動作２５０７を実行する。
【０２７５】
テスト２５０３の結果が否定である場合、テスト２５０６中に制御装置３０６は、受信した係数ＣＩＲが読取り専用メモリに記憶されたＣＩＲと異なるか否かを判定し、同時に読取り専用メモリに記憶された係数ＣＩＲが「２」と異なるか否かを判定する。
【０２７６】
テスト２５０６の結果が否定である場合、テスト２５０４を実行する。テスト２５０６の結果が肯定である場合、動作２５０７中に初期基地局は、メッセージ「ｃｈｇ−ｂａｓｅ−ｒｅｑｕｅｓｔ」を送信した移動局にメッセージ「ｃｈｇ−ｂａｓｅ−ａｃｃｅｐｔ」を送信する。次にテスト２５０８中に制御装置３０６は、読取り専用メモリに記憶された係数ＣＩＲがゼロであるか否かを判定する。
【０２７７】
テスト２５０８の結果が否定である場合、この手順は完了し初期基地局は基地局モードのままである。テスト２５０８の結果が肯定である場合、テスト２５０９中に制御装置３０６は、接続がアクティブであるか否かを判定する。テスト２５０９の結果が肯定である場合、これを繰り返す。テスト２５０９の結果が否定である場合、動作２５１０中に初期基地局は移動局モードに切り替わる。
【０２７８】
通信局が外部ネットワークへのアクセスと結合されている場合、図３Ｂに示す装置には
−外部ネットワークの外部回線３１５にアクセスする外部通信手段３１４と
−回線制御装置３１３がさらに含まれる。
【０２７９】
回線制御装置３１３は、外部通信手段３１４による外部回線３１５の獲得を検出するように適合されている。
【０２８０】
この場合、回線制御装置は図２６に示した流れ図を実施することで機能する。ここでは、こうした装置が初期に基地局モードの動作２６０１で機能することがわかる。次にテスト２６０２を実行し、その間に回線制御装置３１３を使用して外部回線とつながっているか否かを判定する。
【０２８１】
テスト２６０２の結果が否定である場合、これを反復する。テスト２６０２の結果が肯定である場合、テスト２６０３中に外部回線へのアクセスが移動局によって実施されているか否かを判定する。テスト２６０３の結果が肯定である場合、テスト２６０２を反復する。テスト２６０３の結果が否定である場合、動作２６０４中に制御装置３０６は、動作モードを移動局モードに切り替えさせる。次にテスト２６０５中に制御装置３０６は、回線制御装置３１３を使用して外部回線が話中であるか否かを判定する。テスト２６０５の結果が否定である場合、これを反復する。テスト２６０５の結果が肯定である場合、動作２６０６中に動作モードは基地局モードに切り替わる。
【０２８２】
基地局が、その通信品質が低すぎる場合に新しい基地局を要求するために実行する手順を、図２７に示す。
【０２８３】
動作２３０１で、検討中の通信局が基地局モードで動作しているとき、その制御装置３０６がテスト２３０２を実行し、その間に、
−使用可能なエネルギー量ＮＢが量ＮＢ＿ｍｉｎよりも少ないか否か、または−無線信号ＱＲの量が値ＱＲ＿ｍｉｎよりも少ないか否かを判定する。
【０２８４】
テスト２３０２の結果が否定である場合、動作２３１０中に制御装置３０６は時間Ｔ７の間待機し、その後テスト２３０２を反復する。テスト２３０２の結果が肯定である場合、動作２３０３中に制御装置３０６は新しい基地局を探す手順を実行する。
【０２８５】
動作２３０３に続くテスト２３０４中に制御装置３０６は、新しい基地局が見つかったか否かを判定する。テスト２３０４の結果が肯定である場合、動作２３０５中に値ＤＢが値「１」に設定され、動作２３０６中に検討中の基地局の動作モードが移動局モードに切り替わる。
【０２８６】
テスト２３０４の結果が否定である場合、テスト２３０７中に制御装置３０６は、使用可能エネルギー量ＮＢが値ＮＢ＿ｍｉｎよりも小さいか否かを判定する。
【０２８７】
テスト２３０７の結果が肯定である場合、動作２３０６を実行する。テスト２３０７の結果が否定である場合、動作２３０９中に中央ユニットは時間Ｔ８の間待機し、次にテスト２３０２を反復する。
【０２８８】
図２７に示した手順は本来、アクティブな接続がない場合に限って実行できるものである。それ以外の場合は、接続の非アクティブ化動作を追加してから動作２３０６を実行する必要がある。
【０２８９】
移動局（図２８を参照すること）の場合、これを指定するメッセージ「ｎｅｗ−ｂａｓｅ−ｒｅｑｕｅｓｔ」を動作２８０１で受信すると、その制御装置３０６がまず第１にテスト２８０２を実行し、この間に一方では使用可能エネルギー量ＮＢが量ＮＢ＿ｍａｘよりも大きいか否かを判定し、同時に他方では無線信号ＱＲの質が値ＱＲ＿ｍａｘよりも高いか否かを判定する。
【０２９０】
テスト２８０２の結果が否定である場合、動作２８０７中に制御装置３０６は、メッセージ「ｎｅｗ−ｂａｓｅ−ｒｅｊｅｃｔ」を基地局に送信し、その結果その動作モードを変更する手順を終了する。テスト２８０２の結果が肯定である場合、動作２８０３中に中央ユニット３０６は基地局にメッセージ「ｎｅｗ−ｂａｓｅ−ａｃｃｅｐｔ」を送信する。
【０２９１】
動作２８０３に続き制御装置３０６はテスト２８０４中に、それが基地局モードで機能するために必要な情報を受信したか否かを判定する。
【０２９２】
テスト２８０４の結果が否定である場合、これを反復する。テスト２８０４の結果が肯定である場合、動作２８０５中に検討中の移動局の制御装置３０６は確認メッセージ「ａｃｋ」を初期基地局に送信する。次に動作２８０６中に制御装置３０６は、基地局動作モードに切り替わる。動作モード切替え手順は、初期基地局の失敗によってここで終了する。
【０２９３】
通信品質を評価するために、第１の方法は伝送誤り率の決定からなる。
【０２９４】
第２の方法は図２９に示す。これは定期的時間スロットで実行するものである。まず第１に、動作２９０１中に基地局の制御装置３０６は、図２９の流れ図で使用される変数の初期設定を実施する。次に動作２９０２中に制御装置３０６は、メッセージ「ｓｉｇｎａｌ−ｓｔｒｅｎｇｔｈ−ｒｅｑｕｅｓｔ」をセル内のすべての移動局に同報通信させる。
【０２９５】
次に各移動局はそれが受信したメッセージ「ｓｉｇｎａｌ−ｓｔｒｅｎｇｔｈ−ｒｅｑｕｅｓｔ」のパワーを表すメッセージを返す（この点については、ＤＥＣＴ規格のプリミティブ「ＰＬ＿ＭＥ＿ＳＩＧ＿ＳＴＲ＿ｒｅｑ」の使用法を参照すること）。
【０２９６】
したがって、すべての応答が着信するまでには時間がかかるため、基地局は動作２９０３で時間Ｔ９の間待機した後動作２９０４を実行し、この間に変数ＱＲを動作２９０３中に取得した応答の値の平均として決定する。
【０２９７】
図３０は、以前に基地局であって基地局モードで正しく機能する能力を回復した移動局が実行する手順を示す。
【０２９８】
この通信局は動作３１０１で移動局動作モードであり、その制御装置３０６がテスト３１０２を実行し、その間に
−使用可能エネルギー量ＮＢが量ＮＢ＿ｍａｘよりも大きいか否かと、
−無線信号ＱＲの質が値ＱＲ＿ｍａｘよりも高いか否かと、
−変数ＤＢの値が「１」であるか否かとを、すべて同時に判定する。
【０２９９】
テスト３１０２の結果が否定である場合、制御装置３０６は動作３１１０を実行し、この間に時間Ｔ１０の間待機する。次にこれがテスト３１０２を反復する。
【０３００】
テスト３１０２の結果が肯定である場合、動作３１０３中に制御装置３０６は変数ＤＢに値「０」を与える。次に動作３１０４中に制御装置３０６は、チャネルＱ上で聴取する。次に、テスト３１０５中に制御装置３０６は、基地局になるその能力が現在アクティブな基地局のそれよりも優れているか否かを判定する。
【０３０１】
テスト３１０５の結果が否定である場合、この手順は（失敗で）終了する。テスト３１０５の結果が肯定である場合、動作３１０６中に制御装置３０６は、アクティブな基地局にメッセージ「ｃｈｇ−ｂａｓｅ−ｒｅｑｕｅｓｔ」を送信する。動作３１０６中に検討中の移動局は、本発明による基地局モードで機能している通信局が応答できるだけの十分な期間の間待機した後、テスト３１０７を実行する。
【０３０２】
次に、テスト３１０７中に制御装置３０６は、それがアクティブな基地局からメッセージ「ｃｈｇ−ｂａｓｅ−ａｃｃｅｐｔ」を受信したか否かを判定する。テスト３１０７の結果が否定である場合、制御装置３０６は基地局変更要求が失敗したとみなして手順を（失敗で）終了する。テスト３１０７の結果が肯定である場合、動作３１０８中に制御装置３０６は動作モードを基地局モードに切り替える。ここで手順を（首尾良く）終了する。
【０３０３】
図２４は、本発明の第８の態様による通信装置の第２の機能モードを示す。このような通信装置が（従来技術によるか、または図４に示した動作４１１または４１５のうちの１つを含むが動作４０２は再生成せずにすべての動作およびテストを実行した後に）どんな基地局も検出しなかった場合、ならびにこの通信装置が実施すべき情報伝送を有する場合は、その伝送全体を通じて基地局の役割を果たす。
【０３０４】
このため、動作２４０１中に検討中の通信局は、それが実施すべき情報伝送を有するか否かを判定する。次に通信局は図４の動作４０１〜４０３を再生成し、−アクセス権付きでそれを提供する基地局が検出された場合は、それをこの基地局上にロックするが、
−基地局がまったく検出されなかった場合は動作２４０２を実行し、その間に制御装置３０６が装置の動作モードを基地局モードに切り替える。
【０３０５】
次に、動作２４０３中に装置は、所定の期間Ｔ５の間待機する一方で定期的に同期信号を送信する。この期間は移動局に時間を残すためのもので、装置はこれを使用してその上にロックするための通信を希望する。次に動作２４０４中に装置は、それを使用して通信することを希望する識別要求を移動局に送信する。次に動作２４０５中に所定の期間Ｔ６を経過することを可能にするが、この期間は呼び出された移動局が応答できるだけの十分な長さでなければならない。
【０３０６】
次に、テスト２４０６中に装置は、少なくとも１つの移動局から識別要求への応答を受信したかどうかを判定する。テスト２４０６の結果が否定である場合、動作２４１０中に制御装置３０６は、装置の機能モードを移動局モードに切り替える。テスト２４０６の結果が肯定である場合、テスト２４０７中に装置は、移動局のうちの１つの識別が、それを使用して通信を行う必要のある通信局の識別に対応しているか否かを判定する。
【０３０７】
テスト２４０７の結果が否定である場合、動作２４１０を実行する。テスト２４０７の結果が肯定である場合、動作２４０８中に装置が実行する伝送が果たされる。次に、伝送の終わりの動作２４０９中に、伝送を終了する。最後に動作２４１０を実行する。
【０３０８】
第１の変形形態によれば、他の移動局から発行されたすべての通信要求が拒否され、各移動局の識別をテストしている基地局が通信を要求し、それが動作２４０８中に通信に使用したそれのためのものである移動局からの通信だけを受諾する。したがってこの第１の変形形態によれば、他の移動局は装置の動作モードを変更する能力からは何の利益も得ることがない。
【０３０９】
第２の変形形態によれば、装置が基地局として活動している一方で移動局がその上でロックして通信を確立しようと試みた場合、装置はその試みが断念されるまで基地局として動作するか、あるいはその試みが成功した場合は通信が終了するまでまたは別の基地局がそれ自体を装置の代わりに用いるまで基地局として動作する（図９〜図１３を参照のこと）。この第２の変形形態を実施するためには、動作２４０９を実行してから動作２４１０を実行するまでに、通信局の制御装置３０６がテスト（図示せず）中にそれを使用した接続がアクティブであるか否かを判定し、肯定である場合はこのテストを定期的な時間スロットで反復する。このテストでアクティブな接続がないと判定された場合は、動作２４１０を実行する。
【図面の簡単な説明】
【図１】従来技術によりネットワーク内へと移動局を挿入する際の、移動局の動作流れ図を示す概略図である。
【図２】本発明の第１、第３、第５、第７の態様の通信方法を実現するように適合された本発明の第２、第４、第６、第８の態様による通信装置を含むネットワークを示す概略図である。
【図３Ａ】本発明の第２、第４、第６の態様による通信装置に組み込まれる電子回路のアーキテクチャを示す概略図である。
【図３Ｂ】本発明の第８の態様による通信装置に組み込まれる電子回路のアーキテクチャを示す概略図である。
【図４】ネットワーク内にそれを挿入するための本発明の第２、第４、第６、第８の態様による通信装置の動作流れ図を示す概略図である。
【図５】図４に示す流れ図の一部を示す図である。
【図６Ａ】基地局モードで機能することに関連するこの装置の能力を基地局に通知するために本発明の第２、第４、第６の態様による通信装置によって送信される情報の構成を示す概略図である。
【図６Ｂ】基地局モードで機能することに関連するこの装置の能力を基地局に通知するために本発明の第８の態様による通信装置によって送信される情報の構成を示す概略図である。
【図７】移動局がセルに加わるかまたはセルを離れるときに、本発明の第２、第４、第６、第８の態様による通信装置間で行われる情報の交換を示す概略図である。
【図８Ａ】移動局がセルに加わるかまたはセルを離れるときに、本発明の第２、第４、第６、第８の態様による通信装置間で行われる情報の交換を示す概略図である。
【図８Ｂ】移動局がセルに加わるかまたはセルを離れるときに、本発明の第２、第４、第６、第８の態様による通信装置間で行われる情報の交換を示す概略図である。
【図９】基地局を変更するための本発明の第２、第４、第６、第８の態様による通信装置の動作流れ図を示す概略図である。
【図１０】基地局を変更するための本発明の第２、第４、第６、第８の態様による通信装置の動作流れ図を示す概略図である。
【図１１】基地局を変更するための本発明の第２、第４、第６、第８の態様による通信装置の動作流れ図を示す概略図である。
【図１２】基地局を変更するための本発明の第２、第４、第６、第８の態様による通信装置の動作流れ図を示す概略図である。
【図１３】図９〜図１２の流れ図により通信装置間で交換されるメッセージの概略時間表現である。
【図１４Ａ】基地局モードで機能している移動局の能力に関する情報を収集するために本発明の第２、第４、第６、第８の態様による通信装置によって送信される情報の構成を示す概略図である。
【図１４Ｂ】基地局モードで機能している移動局の能力に関する情報を収集するために本発明の第２、第４、第６、第８の態様による通信装置によって送信される情報の構成を示す概略図である。
【図１５】基地局モードで機能している移動局の能力に関する情報を収集するために本発明の第２、第４、第６、第８の態様による通信装置間で交換されるメッセージを示す概略図である。
【図１６】基地局モードで機能している移動局の能力に関する情報を収集するために本発明の第２、第４、第６、第８の態様による通信装置間で交換されるメッセージを示す概略図である。
【図１７】現況技術で既知の物理的フレーム構造を示す概略図である。
【図１８Ａ】現況技術によるセル内部での通信を示す概略図である。
【図１８Ｂ】本発明の第２、第４、第６、第８の態様の目的である装置によって実現されるセル分割を示す概略図である。
【図１８Ｃ】本発明の第２、第４、第６、第８の態様の目的である装置によって実現されるセル分割を示す概略図である。
【図１９】内部通信中にセルを分割するための本発明の第２、第４、第６、第８の態様による通信装置の動作流れ図を示す概略図である。
【図２０】内部通信中にセルを分割するための本発明の第２、第４、第６、第８の態様による通信装置の動作流れ図を示す概略図である。
【図２１Ａ】内部通信中にセルを分割するために本発明の第２、第４、第６、第８の態様による通信装置間で行われる情報交換を示す概略図である。
【図２１Ｂ】内部通信中にセルを分割するために本発明の第２、第４、第６、第８の態様による通信装置間で行われる情報交換を示す概略図である。
【図２２】内部通信中にセルを分割するために本発明の第２、第４、第６、第８の態様による通信装置間で行われる情報交換を示す概略図である。
【図２３】基地局として機能するその能力を定義する基準に応じて移動局を分類する際の流れ図を示す概略図である。
【図２４】基地局がない場合に通信するために最初に移動局として機能している通信局によって実現される流れ図を示す概略図である。
【図２５】図６Ｂに示すメッセージにより基地局での変更を要求するメッセージの受信時に、最初に移動局として機能している通信局によって実現される流れ図を示す概略図である。
【図２６】外部ネットワークに接続された通信局によって実現される流れ図を示す概略図である。
【図２７】この機能モードを遂行するその能力が低下したときに、最初に基地局として機能している通信局によって実現される流れ図を示す概略図である。
【図２８】基地局での変更を要求するメッセージの受信時に、最初に移動局モードで機能している通信局によって実現される流れ図を示す概略図である。
【図２９】無線伝送品質を決定するために、基地局モードで機能している通信局によって実現される流れ図を示す概略図である。
【図３０】基地局モードで機能するその能力が復元されたときに、最初に移動局モードで機能しているがすでに基地局モードで機能していた通信局によって実現される流れ図を示す概略図である。
【図１】
0004371478.tif 000002
【図２】
0004371478.tif 000003
【図３Ａ】
0004371478.tif 000004
【図３Ｂ】
0004371478.tif 000005
【図４】
0004371478.tif 000006
【図５】
0004371478.tif 000007
【図６Ａ】
0004371478.tif 000008
【図６Ｂ】
0004371478.tif 000009
【図７】
0004371478.tif 000010
【図８Ａ】
0004371478.tif 000011
【図８Ｂ】
0004371478.tif 000012
【図９】
0004371478.tif 000013
【図１０】
0004371478.tif 000014
【図１１】
0004371478.tif 000015
【図１２】
0004371478.tif 000016
【図１３】
0004371478.tif 000017
【図１４Ａ】
0004371478.tif 000018
【図１４Ｂ】
0004371478.tif 000019
【図１５】
0004371478.tif 000020
【図１６】
0004371478.tif 000021
【図１７】
0004371478.tif 000022
【図１８Ａ】
0004371478.tif 000023
【図１８Ｂ】
0004371478.tif 000024
【図１８Ｃ】
0004371478.tif 000025
【図１９】
0004371478.tif 000026
【図２０】
0004371478.tif 000027
【図２１Ａ】
0004371478.tif 000028
【図２１Ｂ】
0004371478.tif 000029
【図２２】
0004371478.tif 000030
【図２３】
0004371478.tif 000031
【図２４】
0004371478.tif 000032
【図２５】
0004371478.tif 000033
【図２６】
0004371478.tif 000034
【図２７】
0004371478.tif 000035
【図２８】
0004371478.tif 000036
【図２９】
0004371478.tif 000037
【図３０】
0004371478.tif 000038